(57)【要約】【課題】長時間に亘り検出部を腕に密着させても、装着者の汗などがバンドと皮膚との間に溜まることを防止でき、装着者の不快感を生じさせない生体情報測定機器を提供する。【解決手段】ケース部と、前記ケース部から突出する検出部と、前記ケース部を生体に装着するバンドと、を備え、前記バンドは、前記生体側に位置する裏面と、前記裏面と反対側に位置する表面と、前記裏面から前記生体側に突出する凸部とを含み、前記凸部は、曲面形状の外周面を有する頂部を含み、前記裏面の内に外周が収まるように配置されていることを特徴とする生体情報測定機器。【選択図】図３
2016179124.tif 000002
【特許請求の範囲】
【請求項１】
ケース部と、
前記ケース部から突出する検出部と、
前記ケース部を生体に装着するバンドと、を備え、
前記バンドは、前記生体側に位置する裏面と、前記裏面から前記生体側に突出する凸部とを含み、
前記凸部は、曲面形状の外周面を有する頂部を含み、前記裏面の内に外周が収まるように配置されていることを特徴とする生体情報測定機器。
【請求項２】
前記凸部は、前記頂部と前記裏面との間に設けられた柱状部を備えていることを特徴とする請求項１に記載の生体情報測定機器。
【請求項３】
断面視で、前記柱状部と前記頂部とが、曲線で接続されていることを特徴とする請求項２に記載の生体情報測定機器。
【請求項４】
前記凸部は、前記バンドと異なる材質で形成されていることを特徴とする請求項１ないし請求項３のいずれか一項に記載の生体情報測定機器。
【請求項５】
前記凸部は、前記バンドの材質よりも柔らかな材質で、少なくとも前記頂部が形成されていることを特徴とする請求項１ないし請求項４のいずれか一項に記載の生体情報測定機器。
【請求項６】
前記凸部は、複数設けられていることを特徴とする請求項１ないし請求項５のいずれか一項に記載の生体情報測定機器。
【請求項７】
前記バンドは、
前記ケース部の一方に延在する第１バンド部と、
前記ケース部を介して反対側に延在する第２バンド部と、を含み、
前記凸部は、第１凸部および第２凸部を含み、
前記第１バンド部は、前記第１凸部を少なくとも備え、
前記第２バンド部は、前記第２凸部を少なくとも備えていることを特徴とする請求項１ないし請求項６のいずれか一項に記載の生体情報測定機器。
【請求項８】
前記第１バンド部、および前記第２バンド部は、それぞれ同数の前記凸部を備えていることを特徴とする請求項７に記載の生体情報測定機器。
【請求項９】
前記検出部の頂部、前記第１凸部の頂部、および前記第２凸部の頂部を含む平面に正対する方向から見たとき、
前記検出部は、前記第１凸部の頂部と前記第２凸部の頂部を結ぶ第１仮想直線の中点を通り、前記第１仮想直線と直交する第２仮想直線と、少なくとも一部が重なる位置に配置されていることを特徴とする請求項７または請求項８に記載の生体情報測定機器。
【請求項１０】
前記検出部は、検出窓を備え、
前記検出窓は、光透過性を有する部材で構成されていることを特徴とする請求項１ないし請求項９のいずれか一項に記載の生体情報測定機器。
【請求項１１】
前記検出部の突出量は、前記凸部の突出量より大きいことを特徴とする請求項１ないし請求項１０のいずれか一項に記載の生体情報測定機器。
【請求項１２】
前記凸部の突出量は、前記検出部の突出量より大きいことを特徴とする請求項１ないし請求項１０のいずれか一項に記載の生体情報測定機器。
【請求項１３】
前記凸部の少なくとも一つは、第２検出部を備えていることを特徴とする請求項１ないし請求項１２のいずれか一項に記載の生体情報測定機器。
【発明の詳細な説明】
【技術分野】
【０００１】
本発明は、生体情報測定機器に関する。
【背景技術】
【０００２】
従来、バンド等によって手首等の部位に装着され、装着者の脈波や脈拍等の生体情報を測定する測定機器や、当該生体情報の測定機能を有する腕時計状の電子機器が知られている（例えば、特許文献１参照）。このような機器（測定機器、電子機器）では、表示部を有するケース部（本体部）の両側に伸びる２本のバンドで、当該ケース部を手首に装着するとしている。なお、ケース部の裏面（表示部の反対面）には、脈波を光学的に検出するための検出部（センサー）が配置されている。
【先行技術文献】
【特許文献】
【０００３】
【特許文献１】特開２００５−１４３８１４号公報
【発明の概要】
【発明が解決しようとする課題】
【０００４】
しかしながら、上述したような従来の機器では、生体情報を安定して測定するために、検出部を腕に密着させる必要があり、検出部（センサー部）を手首に密着しようとすると、バンドも手首に密着されてしまう。このように、検出部（センサー部）、およびバンドの広い面積の領域が手首に密着されてしまい、機器を手首に長時間装着すると、装着者の汗や生活するにあたって避けられない水分（例えば、手洗い後の水滴）がバンドと皮膚との間に溜まり、装着者が不快感を生じてしまうという課題があった。
【課題を解決するための手段】
【０００５】
本発明は、上述の課題の少なくとも一部を解決するためになされたものであり、以下の形態または適用例として実現することが可能である。
【０００６】
［適用例１］本適用例に係る生体情報測定機器は、ケース部と、前記ケース部から突出する検出部と、前記ケース部を生体に装着するバンドと、を備え、前記バンドは、前記生体側に位置する裏面と、前記裏面から前記生体側に突出する凸部とを含み、前記凸部は、曲面形状の外周面を有する頂部を含み、前記裏面の内に外周が収まるように配置されていることを特徴とする。
【０００７】
本適用例によれば、ケース部から突出した検出部、およびバンドの裏面から突出する凸部によって、少ない密着面積で生体情報測定機器が被検体である生体（装着部）に装着することができる。したがって、生体との間の非密着部分（隙間）から、装着者の汗や生活するにあたって避けられない水分（例えば、手洗い後の水滴）を、発散させたり排出したりすることが可能となる。これにより、長時間に亘り生体情報測定機器を装着していても、装着者の汗や生活するにあたって避けられない水分（例えば、手洗い後の水滴）が、バンドと皮膚との間に溜まってしまうなどによる装着者の不快感（例えば、皮膚の痒み、違和感、装着跡など）を生じ難くすることができる。
また、裏面の内に外周が収まるように配置された曲面形状の外周面を備えた頂部（凸部）を当接部として生体（装着部）に当接するため、凸部の周囲に生体との間の非密着部分（隙間）を容易に形成できるとともに、頂部の曲面形状によって装着時の生体へのダメージを減少させることができる。これらにより、例えば長時間の装着時間となる場合などにおける装着者の装着の不快感を緩和し、装着性を向上させることが可能となる。
さらに、ケース部から突出した検出部とバンドの凸部により、生体情報測定機器が移動し難くなり、生体と生体情報測定機器との間の位置ずれを防止することができ、位置ずれによる検出精度の低下防止と上述の装着性を両立させることが可能となる。
さらに、密着部分が少ないため、腱や筋肉などの動きの影響を受け難くなり、装着者（被検者）の動作や体動に起因する生体と生体情報測定機器との間の位置変化による検出ノイズを減少させることができる。これによって検出精度の低下を防止することが可能となる。
【０００８】
［適用例２］上記適用例に記載の生体情報測定機器において、前記凸部は、前記頂部と前記裏面との間に設けられた柱状部を備えていることが好ましい。
【０００９】
本適用例によれば、柱状部により、凸部の突出量を確実に備えることが可能となる。これにより、検出部を装着部（生体）に密着させながら、バンドと生体との隙間を凸部により確保することができ、その隙間から容易に汗や水分を逃がすことができる。
【００１０】
［適用例３］上記適用例に記載の生体情報測定機器において、断面視で、前記柱状部と前記頂部とが、曲線で接続されていることが好ましい。
【００１１】
本適用例によれば、柱状部と頂部とが曲線で接続されていることから、凸部の外周形状に角部が存在しない滑らかな形状となり、検出部を強めに生体に装着する場合などにおいても装着者の不快感を生じさせず、装着性を向上させることが可能となる。
【００１２】
［適用例４］上記適用例に記載の生体情報測定機器において、前記凸部は、前記バンドと異なる材質で形成されていることが好ましい。
【００１３】
本適用例によれば、凸部の材質をバンドの材質と異ならせることにより、凸部の形状もしくは柔軟性などを任意に設定することができる。これにより、それぞれの装着者に合った装着状態を実現可能な凸部とすることができ、装着性をより高めることが可能となる。
【００１４】
［適用例５］上記適用例に記載の生体情報測定機器において、前記凸部は、前記バンドの材質よりも柔らかな材質で、少なくとも前記頂部が形成されていることが好ましい。
【００１５】
本適用例によれば、少なくとも頂部がバンドより柔らかく構成されるため、装着時の違和感を減少させ、装着感を向上させることが可能となる。
【００１６】
［適用例６］上記適用例に記載の生体情報測定機器において、前記凸部は、複数設けられていることが好ましい。
【００１７】
本適用例によれば、複数の生体側に突出する凸部によって、バンドが生体にしっかりと密着し、生体情報測定機器の移動を抑制することができる。これにより、生体と生体情報測定機器との間の位置ずれを防止することができ、位置ずれによる検出精度の低下防止と上述の装着性を両立させることが可能となる。
【００１８】
［適用例７］上記適用例に記載の生体情報測定機器において、前記バンドは、前記ケース部の一方に延在する第１バンド部と、前記ケース部を介して反対側に延在する第２バンド部と、を含み、前記凸部は、第１凸部および第２凸部を含み、前記第１バンド部は、前記第１凸部を少なくとも備え、前記第２バンド部は、前記第２凸部を少なくとも備えていることが好ましい。
【００１９】
本適用例によれば、バンドは、第１バンド部とケース部を介した第２バンド部とを含んでいるため、装着感を損なうことなく窓部（検出部）を生体（装着部）に、容易に密着させることができ、且つ脱着も容易に行うことができる。また、第１バンド部には第１凸部が設けられ、第２バンド部には第２凸部が設けられていることから、それぞれのバンド（バンド）から汗や水分を逃がすことが可能であり、装着感を向上させることができる。
【００２０】
［適用例８］上記適用例に記載の生体情報測定機器において、前記第１バンド部、および前記第２バンド部は、それぞれ同数の前記凸部を備えていることが好ましい。
【００２１】
本適用例によれば、第１バンド部、および第２バンド部のそれぞれに同数の凸部が設けられていることにより、ケース部を介した両側の装着バランスが良好となり、装着感を向上させることができるとともに、窓部（検出部）を安定的に生体（装着部）に密着させることができる。
【００２２】
［適用例９］上記適用例に記載の生体情報測定機器において、前記検出部の頂部、前記第１凸部の頂部、および前記第２凸部の頂部を含む平面に正対する方向から見たとき、前記検出部は、前記第１凸部の頂部と前記第２凸部の頂部を結ぶ第１仮想直線の中点を通り、前記第１仮想直線と直交する第２仮想直線と、少なくとも一部が重なる位置に配置されていることが好ましい。
【００２３】
本適用例によれば、第１凸部、および第２凸部が、検出部を介して対称位置に配置されることから、検出部を介した両側の装着バランスが良好となり、装着感を向上させることができるとともに、検出部を安定的に装着部（生体）に密着させることができる。
【００２４】
［適用例１０］上記適用例に記載の生体情報測定機器において、前記検出部は、検出窓を備え、前記検出窓は、光透過性を有する部材で構成されていることが好ましい。
【００２５】
本適用例によれば、透光性を有する部材で構成された検出窓が設けられているため、光学的な計測が可能となり、生体を傷つけずに測定（検出）ができる、所謂非侵襲での生体情報の検出ができる。これにより、装着者が不快感を軽減することが可能となる。
【００２６】
［適用例１１］上記適用例に記載の生体情報測定機器において、前記検出部の突出量は、前記凸部の突出量より大きいことが好ましい。
【００２７】
本適用例によれば、検出部の突出量が大きいため、検出部を確実に生体と密着させることができ、検出部の移動による測定ノイズを減少させて測定精度を高めることが可能となる。
【００２８】
［適用例１２］上記適用例に記載の生体情報測定機器において、前記凸部の突出量は、前記検出部の突出量より大きいことが好ましい。
【００２９】
本適用例によれば、装着感を損なうことなく検出部を装着部（生体）に密着させながら、突出量の大きな凸部により、バンドと生体との隙間を確保でき、その隙間から容易に汗や水分を逃がすことが可能となり、装着感を高めることができる。
【００３０】
［適用例１３］上記適用例に記載の生体情報測定機器において、前記凸部の少なくとも一つは、第２検出部を備えていることが好ましい。
【００３１】
本適用例によれば、検出部に加えて凸部の少なくとも一つに第２検出部を備えていることから、例えば何らかの不具合により検出部における検出ができない場合に、第２検出部が代わって検出を行う、所謂補完検出（サポート）を行うことができる。これにより、所定の検出タイミングにおける検出の抜け（非検出）が減少し、より確実な検出を行うことができる。換言すれば、連続して設定された検出タイミングにおける、検出のできた割合、所謂検出率を高めることができる。
【図面の簡単な説明】
【００３２】
【図１】実施形態１に係る生体情報測定機器の概略構成を示す斜視図。
【図２】実施形態１に係る生体情報測定機器の概略構造の展開図。
【図３】実施形態１に係るケース部およびバンドの概略構成を示す図。
【図４】凸部の構成に係る変形例を示し、バンドの側面方向から見た断面図。
【図５】バックル部の構成、およびバンドとの接続構成の概略を示す図。
【図６】バックル部の構成、およびバンドとの接続構成の概略を示す図。
【図７】バックル部の他の構成を示す斜視図。
【図８】装着状態における側面図。
【図９】バックル部の他の構成の装着状態における側面図。
【図１０】バンドの他の構成例を示す側面図。
【図１１】測定機器に係るバンドの変形例を示す側面図。
【図１２】生体情報測定機器の変形例を示す側面図。
【図１３】凸部の配置に係る変形例を示し、バンドを内側からみた正面図。
【図１４】実施形態２に係る生体情報測定機器の従来例を示す断面図。
【図１５】実施形態２に係る生体情報測定機器を示す斜視図。
【図１６】実施形態３に係る生体情報測定機器を示す正面図。
【図１７】実施形態４に係る生体情報測定機器を示す斜視図。
【図１８】実施形態５に係る生体情報測定機器を示す断面図。
【図１９】実施形態２〜５に係る生体情報測定機器を製造する方法のフローチャート。
【図２０】実施形態６の生体情報測定機器におけるヘルスマネージャーの起点となるウェブページの概略を示す図。
【図２１】栄養ウェブページの一例を示す図。
【図２２】活動レベルウェブページの一例を示す図。
【図２３】精神集中ウェブページの一例を示す図。
【図２４】睡眠ウェブページの一例を示す図。
【図２５】毎日の活動ウェブページの一例を示す図。
【図２６】健康度ウェブページの一例を示す図。
【発明を実施するための形態】
【００３３】
以下、本発明の実施形態について、図面を参照して説明する。なお、以下の各図においては、各層や各部位を図面上で認識可能な程度の大きさとするため、各層や各部位の縮尺を実際とは異ならしめてある。
【００３４】
（実施形態１）
《生体情報測定機器の概要》
図１は、実施形態１に係る生体情報測定機器の概略構成を示し、図１（ａ）は生体情報測定機器を生体に装着した装着状態を示す図であり、図１（ｂ）は生体情報測定機器を生体から取り外した開放状態を示す図である。
本実施形態１に係る生体情報測定機器（以下では、測定機器ともいう）１は、生体情報を測定される生体（例えば人体）に装着され、脈波等の生体情報を測定する電子機器である。図１（ａ）に示すように、測定機器１は、腕時計のように装着者（生体）の測定部位（手首等）に装着され使用される。本実施形態では、測定機器１が装着者の左側の腕ＡＲの手首ＷＲに装着された状態を示している。
【００３５】
本明細書では、測定機器１の正面の法線方向を、図１（ａ）における手前側を正とするＺ軸方向とする。測定機器１の正面とは、発光部１４が配置された面を指す。また、Ｚ軸方向と交差する方向であって、腕ＡＲの長さ方向を、指がある先端側を正とするＸ軸方向とする。そして、Ｚ軸方向およびＸ軸方向と交差する方向であって、腕ＡＲの幅方向を、小指側を正とするＹ軸方向とする。
【００３６】
なお、本明細書では、測定機器１を正面の法線方向（Ｚ軸方向）から見ることを「正面視」という。また、測定機器１をＸ軸方向から見ることを「側面視」という。また、測定機器１が手首ＷＲに装着された状態で、生体側、すなわち手首ＷＲに面する側を「内側」または「内面」といい、生体とは反対側、すなわち手首ＷＲに面する側の反対側を「外側」または「外面」という。
【００３７】
測定機器１は、腕時計に類似した一般の生体情報測定機器（以下では、一般の測定機器という）のように文字やグラフィックス等を表示するためのモニター部（ディスプレイ）を備えておらず、その代わりに、発光部１４を備えている。また、測定機器１は、一般の測定機器のように操作するためのボタンやスイッチ類を備えていない。測定機器１は、測定機器１の正面とは反対側の底面（検出部）を手首ＷＲに密着させた状態で生体情報を測定する。なお、発光部１４の代わりに振動モーターやアラームなどを用いる構成としても良い。
【００３８】
図１（ｂ）に示すように、測定機器１は、機器本体であるケース部１０と、ケース部１０を手首ＷＲに固定するバンド２０と、バンド２０に接続するバックル部３０と、を備えている。
バンド２０は、Ｙ軸方向に沿ってケース部１０の正面側を覆うとともにケース部１０の両側から延出されており、バックル部３０により連結されている。なお、バンド２０の手首ＷＲ側には、第２凸部２９と図示されていない第１凸部２８（図２参照）とが設けられている。
バックル部３０は、２枚の金属製のプレートを回動軸で繋いだ蝶番状の部材で、２枚のプレートを重ねて折り畳むと長さが短くなり、並べて伸ばすと長くなる構造となっている。
つまり、測定機器１は、生体情報を検出する検出部を有するケース部１０と、ケース部１０を生体に固定するためのバンド２０と、バンド２０と環状に接続するとともに、長さを調整可能なバックル部３０とを備えている。
【００３９】
このように、バンド２０の両端がバックル部３０により連結されることにより、測定機器１は、図１（ａ）に示す手首ＷＲに装着された状態（以下では、装着状態という）、および、図１（ｂ）に示す手首ＷＲから取り外された状態（以下では、開放状態という）の双方の状態において環状となっている。
この構成により、測定機器１を装着する際には、バックル部３０を伸ばした状態として、図１（ｂ）に示す環状の大きな開口部に、手をすぼめて挿入した後、腕の装着位置でバックル部３０を折畳んで短くすることにより、図１（ａ）に示すように、測定機器１を装着することができる。特に、バンド２０の構成や材質、環状の開口部サイズの最適化などの様々な創意工夫を施すことにより、測定機器１の着脱を繰り返しても、検出部が腕の検出位置に正確に、かつ、略同等の押圧（押し付け力）で固定可能な構成を実現している。なお、詳細な説明は後述する。
【００４０】
《生体情報測定機器の全体構成》
図２は、生体情報測定機器の概略構造の展開図である。
図２に示すように、バンド２０には、その延在方向における中程に開口部２１ｂ（穴部）が形成されている。開口部２１ｂには、平面的に略長方形をなしたケース部１０が嵌め込まれている。ケース部１０は、発光部１４を上（正面側）に向けた状態で、バンド２０の背面側（手首ＷＲと対面する側）から開口部２１ｂに嵌め込まれ（挿入され）ている。バンド２０の延在方向における開口部２１ｂが形成されている部分は、両端部よりも幅広に形成されている。
バンド２０は、開口部２１ｂから一端側に伸びる第１バンド部２２と、他端側に伸びる第２バンド部２４とを備えている。単品（初期）状態におけるバンド２０は、側面視において、その中程（開口部２１ｂ）を頂部として、左右に第１バンド部２２と、第２バンド部２４とが垂れ下がる逆Ｕ字状の形状となっている。
【００４１】
ケース部１０は、Ｙ軸方向に沿った側部１１とＸ軸方向に沿った端部１２とを有し、正面視において側部１１を長辺とし端部１２を短辺とする略長方形状である。また、ケース部１０は、測定機器１の正面側に凸状の曲面で構成される上面１０ａを有し、上面１０ａとは反対側、すなわち、手首ＷＲに面する側に底面１０ｂを有している。底面１０ｂには、底面１０ｂから突出する、換言すればケース部１０から突出する検出部１８が配置されている。検出部１８には、光透過性を有する窓部１３が設けられている。なお、実際に生体情報を検出するセンサーは、窓部１３の奥に配置されている光電脈波センサー部５であるが、構造上、手首ＷＲ側に最も突出しており、かつ、密着性が求められる部位が窓部１３となり、これらを総称して検出部１８としている。なお、手首ＷＲとの密着は、窓部１３の外面および検出部１８の外面の双方によって行われてもよい。ケース部１０は、例えば、ポリカーボネート（ＰＣ）、ポリスチレン（ＰＳ）、ＡＢＳ樹脂等の樹脂材料からなる。
【００４２】
ケース部１０の上面１０ａには、発光部１４が配置されている。発光部１４は、例えば、ＬＥＤ（Light Emitting Diode）等からなる複数の発光素子で構成される。好適例では、５つのＬＥＤを一列に配置している。測定機器１は、発光部１４において、例えば、各発光素子の発光色を異ならせたり、点灯、消灯、点滅等の状態を組み合わせたりすることにより、測定機器１の動作モードや、生体情報の測定に関わる情報等を装着者に通知することができる。
【００４３】
バンド２０は、Ｙ軸方向に沿って延在している。バンド２０の本体部２１の表面２１ａは、ケース部１０の上面１０ａに沿って略円弧状に湾曲している。なお、バンド２０は、検出部（センサー）としての窓部１３を、例えば手首ＷＲなどに密着させるように測定機器１を生体（例えば人体における腕ＡＲの手首ＷＲ）に装着するため、生体に倣って変形自在な材料によって形成されていることが好ましい。
【００４４】
バンド２０の材料としては、例えば、シリコーンゴム（シリコーン樹脂）、天然ゴム、カーボンブラックを配合したゴム、イソプレンゴム、ブタジエンゴム、スチレン・ブタジエンゴム、クロロプレンゴム、ニトリルゴム、ポリイソブチレン、エチレンプロピレンゴム、クロロスルホン化ポリエチレンゴム、アクリルゴム、フッ素ゴム、エピクロルヒドリンゴム、ウレタンゴム（ウレタン樹脂）、ポリウレタンゴム（ポリウレタン樹脂）、スチレン系エラストマー、オレフィン系エラストマー、塩ビ系エラストマー、ポリエステル系エラストマー、ポリウレタン系エラストマー、シリコーン系エラストマー、アミド系エラストマー、ナイロン系エラストマー、動的架橋型エラストマー等、または、これらをブレンドしたものを用いることができる。また、他の材料としては、合皮、本皮、本革、あるいは熱可塑性樹脂で構成されたポリエチレン、ポリプロピレン、エチレン−酢酸ビニル共重合体等のポリオレフィン、変性ポリオレフィン、ポリアミド（例：ナイロン６、ナイロン４６、ナイロン６６、ナイロン６１０、ナイロン６１２、ナイロン１１、ナイロン１２、ナイロン６−１２、ナイロン６−６６）、熱可塑性ポリイミド、芳香族ポリエステル等の液晶ポリマー、ポリフェニレンオキシド、ポリフェニレンサルファイド、ポリカーボネート、ポリメチルメタクリレート、ポリエーテル、ポリエーテルエーテルケトン、ポリエーテルイミド、ポリアセタール、スチレン系、ポリオレフィン系、ポリ塩化ビニル系、ポリウレタン系、ポリエステル系、ポリアミド系、ポリブタジエン系、トランスポリイソプレン系、フッ素ゴム系、塩素化ポリエチレン系等の各種熱可塑性エラストマー等、またはこれらを主とする共重合体、ブレンド体、ポリマーアロイ等があげられ、このうち１種または２種以上を混合して用いることができる。バンド２０は、手首ＷＲに対して適度な締め付け力が得られるような柔軟性や弾性力と良好な耐久性とを有し、肌に優しい（皮膚に対する刺激の少ない）ことが望ましい。このような特性を有する材料として、シリコーンゴムを好適に用いることができる。
【００４５】
このような材料でバンド２０を形成することにより、後述する凸部としての第１凸部２８や第２凸部２９（図３参照）による通気性を確保しつつ、ケース部１０を適度な押圧力で手首ＷＲに固定することが可能となり、検出部（センサー）としての窓部１３を検出位置に密着させることができる。
【００４６】
バンド２０は、ケース部１０の上面１０ａを覆う本体部２１と、本体部２１からケース部１０の側部１１に沿った方向の一方の側に延出する第１バンド部２２と、本体部２１からケース部１０の側部１１に沿った方向の他方の側に延出する第２バンド部２４とを有している。本体部２１、第１バンド部２２、および第２バンド部２４は、一体で成形されている。バンド２０の中程に位置する本体部２１は、ケース部１０の上面１０ａに沿って湾曲しており、凸状の曲面で構成される表面２１ａを有している。本体部２１には、開口部２１ｂが形成されている。
【００４７】
第１バンド部２２および第２バンド部２４は、湾曲した本体部２１からケース部１０の底面１０ｂ側に反るように延在している。第１バンド部２２は、その先端に先端部２３を有している。先端部２３は第１バンド部２２の延在方向から内側へ曲げられている。第２バンド部２４は、その先端に先端部２５を有している。先端部２５も、第２バンド部２４から内側へ曲げられている。
【００４８】
第１バンド部２２には、複数の調整穴部２６が第１バンド部２２の延在方向に沿って並ぶように設けられている。複数の調整穴部２６は、第１バンド部２２をその厚さ方向に貫通して設けられ、略均一な配置ピッチで配置されている。第２バンド部２４には、先端部２５側に接続部２７が設けられている。接続部２７は、第２バンド部２４から内側に凸状に突出して設けられ、第２バンド部２４の幅方向に貫通する接続穴を有している。
【００４９】
また、第１バンド部２２には、第１バンド部２２の内側の面（図１に示す手首ＷＲ側の面）である裏面２２ｂから手首側に突出する凸部としての第１凸部２８が設けられている。また、同様に第２バンド部２４には、ケース部１０を介して第１凸部２８と対向する位置に、第２バンド部２４の内側の面（図１に示す手首ＷＲ側の面）である裏面２４ｂ（図３参照）から手首ＷＲ側に突出する凸部としての第２凸部２９（図２では図示されない（図３参照））が設けられている。
【００５０】
このような、第１バンド部２２および第２バンド部２４を設けることにより、装着感を損なうことなく検出窓としての窓部１３を生体（装着部）に、容易に密着させることができ、且つ脱着も容易に行うことができる。また、第１バンド部２２には第１凸部２８が設けられ、第２バンド部２４には第２凸部２９が設けられていることから、それぞれのバンド（第１バンド部２２および第２バンド部２４）と、生体としての手首ＷＲ（図１参照）との間に隙間を設けることができ、この隙間から汗や水分を逃がすことが可能となり、装着感を向上させることができる。
【００５１】
バックル部３０は、第１プレート（第１バックル部）３１と、第２プレート（第２バックル部）３２と、第１プレート３１と第２プレート３２とを回動可能に軸支するヒンジ部３３とを有している。バックル部３０は、第１バンド部２２と、第２バンド部２４とを繋ぐ、折畳み型の長さ調整部材であり、第１プレート３１は第１バンド部２２に接続され、第２プレート３２は第２バンド部２４に接続される。バックル部３０の材質は、好適例では、ステンレス鋼を主体に用いている。なお、これに限定する物ではなく、耐蝕性が良く、折畳み耐久性を満たし、軽量な材料であれば良い。例えば、チタンであっても良い。また、バックル部３０は、金属ではなく樹脂で構成しても良い。これにより、バンド２０とバックル部３０との一体感が増すので、見栄えが良くなる。
バックル部３０は、第２プレート３２が第１プレート３１の外側に重なるように折り畳むことで装着状態となる。また、バックル部３０は、第２プレート３２を第１プレート３１から外側へ離間して展開することで開放状態となる。
【００５２】
ケース部１０とバンド２０とは、ケース部１０の上面１０ａ側がバンド２０の開口部２１ｂに嵌め込まれて、一体に設けられている。ケース部１０の上面１０ａ、側部１１、および端部１２の一部は、バンド２０で覆われている。また、ケース部１０の上面１０ａの一部は、カバー部１６で覆われている。カバー部１６は、発光部１４と重なる部分を開口部とした化粧板である。カバー部１６は、ポリカーボネートなどの樹脂製のフィルム部材から構成されており、カラフルな着色がなされ、文字などの印刷が可能な構成となっている。カバー部１６は、ケース部１０を保護するとともに、デザインの自由度を高めている。
【００５３】
測定機器１は、機器本体であるケース部１０内に制御部、電源部、通信部、センサー部等を備えている。なお、ケース部１０内に備えるこれらの構成要素については図示を省略する。制御部は、例えばＣＰＵ、ＲＯＭ、ＲＡＭ等で構成され、これらのハードウェアとＲＯＭ等に記憶されたソフトウェアとが協働して測定機器１の動作を制御する。電源部は、電源回路、電池等で構成される。ケース部１０には、電池を充電するための端子部が設けられている。
【００５４】
通信部は、測定機器１とスマートフォンやパーソナルコンピューター等の外部機器との間で、例えばＢｌｕｅｔｏｏｔｈ（登録商標）等の公知の無線通信方式により、無線通信を行う。これにより、外部機器から測定機器１を操作することや、測定機器１で測定された生体情報を外部機器に送信して装着者の生体情報の蓄積および管理をすることができる。測定機器１は、外部機器との連携により、測定した装着者の生体情報を蓄積しその情報に基づいて装着者に、例えば、生体情報の分析結果や運動量が適正であるか否か等の情報を提供する機能を有している。
【００５５】
センサー部としては、前述した生体情報を検出する光電脈波センサー部５に加えて、装着者のタップ操作を検出するタップ操作センサー部（図示省略）を備えている。光電脈波センサー部５は、例えばＬＥＤ等の発光素子とフォトダイオード等の受光素子とで構成される。光電脈波センサー部５は、発光素子から装着者の手首ＷＲに向けて検出光を照射し、手首ＷＲの血管で反射された反射光を受光素子で受光することにより、装着者の脈波を検出する。なお、検出光および反射光は、検出部としての窓部１３を介して出入射される。測定機器１は、光電脈波センサー部５で検出された脈波に基づいて、装着者の脈拍数を測定する。
【００５６】
タップ操作センサー部は、例えば加速度センサーで構成される。タップ操作とは、測定機器１を指や手のひら等で叩く操作のことである。装着者は、測定機器１を叩くタップ操作を行うことで、測定機器１を操作する。測定機器１は、装着者のタップ操作を、タップ操作センサー部のセンサー情報に基づいて検出する。測定機器１では、簡単な操作はタップ操作で行われ、測定機器１の各種設定や詳細な操作等は無線通信を介して外部機器により行われる。測定機器１は、このような構成により、操作のためのボタンやスイッチ類を不要にしている。なお、加速度センサーからの信号は、生体情報を検出する際に脈波信号に重畳される体動ノイズの抑制処理においても用いることができる。
【００５７】
測定機器１は、装着者が歩行や走行等の運動をする際だけでなく常に装着することにより、装着者の日常生活における生体情報を測定することを目的とする機器である。そのため、測定機器１には、長時間装着していても装着者の負担（例えば、機器の重さ、大きさ、形状や、締め付け力に起因する不快感）が少なく、かつ、装着者の姿勢や動作に関わらず安定した状態で生体情報を測定できることが求められる。測定機器１は、モニター部（ディスプレイ）、ボタンやスイッチ類を排することで、一般の測定機器と比べて、小型化および軽量化と電池の長寿命化とを可能にしている。また、装着者が運動時に脈拍数を測定する場合、検出部で検出された脈波には運動に起因する体動ノイズが重畳される。この体動ノイズが重畳された脈波信号から脈波成分だけを抽出するために、タップ操作センサー部の加速度センサーから出力される加速度信号を利用しても良い。これにより、タップ操作検出用の加速度センサーと脈波成分を抽出するための加速度センサーとを１つの加速センサーで共用することができ、低コスト化、小型化、電池の長寿命化を実現できる。
【００５８】
《ケース部およびバンドの構成》
図３は、ケース部、およびバンド部の概略構成を示す図であり、図３（ａ）は、測定機器の正面図、（ｂ）は側面図である。図３（ｃ）は、底面側（検出部）から見た平面図（背面図）である。また、図４（ａ）〜図４（ｄ）は、凸部の構成に係る変形例を示し、バンドの側面方向から見た断面図である。以下、図３および図４を参照して、ケース部１０およびバンド２０の構成を詳しく説明する。
【００５９】
図３（ａ）に示す正面視において、ケース部１０の上面１０ａ（図２参照）は、バンド２０の本体部２１と一対のカバー部１６とで覆われている。また、正面視において、ケース部１０の側部１１は、バンド２０の本体部２１で覆われている。従って、正面視においては、ケース部１０は露出していない。
カバー部１６は、Ｚ軸方向（正面方向）から見て、Ｙ軸方向に沿った上底と下底とを有する略台形状であり、互いの下底同士が対向するように配置されている。一対のカバー部１６同士の間には、Ｙ軸方向に沿って延在する開口部が設けられており、その開口部から発光部１４が露出している。
【００６０】
バンド２０の延在方向（Ｙ軸方向）における幅（Ｘ軸方向の寸法）は、本体部２１において最も広い。本体部２１の幅は、ケース部１０の幅よりも広い。第１バンド部２２の幅は、本体部２１から離れるにしたがって細くなった後、所定の幅Ｗ１となる。第２バンド部２４の幅は、本体部２１から離れるにしたがって細くなった後、所定の幅Ｗ２となる。
【００６１】
図３（ｂ）に示す側面視において、ケース部１０の側部１１のうち、上面１０ａ側はバンド２０の本体部２１で覆われており底面１０ｂ側は露出している。底面１０ｂの中央部は略平坦な面となっており、側部１１の両端に位置する端部１２は、底面１０ｂから−Ｚ軸方向（手首ＷＲに装着される側）に張り出している。したがって、ケース部１０の底面１０ｂは中央部から端部１２に向かって凹状に湾曲した曲面部１７を有している。この曲面部１７の曲率半径は、本体部２１の表面２１ａの曲率半径よりも大きい。手首ＷＲに接する内面側の曲面部１７の曲率半径が外面側の表面２１ａの曲率半径よりも大きいため、光電脈波センサー部５（図２参照）の厚さ分を表面２１ａ（ケース部１０の上面１０ａ）側を膨らませることで吸収できるので、測定機器１の手首ＷＲへの密着性が損なわれない。そして、底面１０ｂの中央部には−Ｚ軸方向に張り出した（突出した）窓部１３を含む検出部１８が設けられている。
【００６２】
図３（ｃ）に示す底面１０ｂ側から見た平面視において、略長方形状のケース部１０がバンド２０の中程に設けられた開口部２１ｂ（図２参照）に嵌めこまれている。ケース部１０の外周はバンド２０で覆われており、底面１０ｂが露出している。底面１０ｂの中央部に設けられた検出部１８および窓部１３は、平面視において略円形状である。また、平面視において窓部１３の外側には、窓部１３の周りを囲うリング状の土手部１５が形成されている。
土手部１５は、ケース部１０と一体で形成されたリブであり、底面１０ｂから手首ＷＲ側に張り出した（突出した）凸部として設けられている。
窓部１３は、透光性を有する透明な凸レンズ状の部材であり、好適例では、透明樹脂を用いている。光電脈波センサー部５（図２参照）の発光素子から発せられた光は窓部１３を透過して装着者の手首ＷＲに照射され、手首ＷＲの血管で反射された光は窓部１３を透過して光電脈波センサー部５の受光素子で受光される。そのため、光電脈波センサー部５により安定した状態で生体情報を検出するためには、装着状態において窓部１３（検出部１８）を装着者の手首ＷＲに密着させた状態で安定して保持することが望ましい。
【００６３】
第１バンド部２２には、外側の表面２２ａと、表面２２ａの反対側に位置する裏面２２ｂ、換言すれば図１に示す手首ＷＲ側の面である裏面２２ｂから手首側に突出する第１凸部２８が設けられている。また、同様に第２バンド部２４には、外側の表面２４ａと、表面２４ａの反対側に位置する裏面２４ｂ、換言すれば、図１に示す手首ＷＲ側の面である裏面２４ｂから手首側に突出する第２凸部２９が設けられている。
【００６４】
また、図３（ｃ）に示すように、第１凸部２８および第２凸部２９は、裏面２２ｂおよび裏面２４ｂを、裏面２２ｂまたは裏面２４ｂに正対する方向から見た平面視で、裏面２２ｂおよび裏面２４ｂの内に第１凸部２８および第２凸部２９の外周が収まるように配置されている。さらに、第１凸部２８および第２凸部２９は、生体（装着部）に当接する頂部の外周面を曲面形状としている。換言すれば、第１凸部２８および第２凸部２９を断面視したとき、頂部の外周面が、例えば円弧の一部であったり曲線形状であったりすることにより、滑らかな外面を有していることが望ましい。
【００６５】
このような第１凸部２８および第２凸部２９により、曲面形状の外周面を備えた頂部（凸部）を当接部として生体（装着部）に当接させることができるため、第１凸部２８および第２凸部２９の周囲に生体との間の非密着部分（隙間）を容易に形成することができる。加えて、頂部の曲面形状によって装着時の生体へのダメージを減少させることができる。これらにより、例えば長時間の装着時間となる場合などにおける装着者の装着の不快感を減少させて装着性を向上させることが可能となる。
【００６６】
さらに、第１バンド部２２に設けられた第１凸部２８および第２バンド部２４に設けられた第２凸部２９と、検出部１８の窓部１３とは、次のような位置関係とすることが好ましい。詳細に説明すると、図３（ｂ）に示すように、検出部１８の頂部、第１凸部２８の頂点（頂部の上部）２８Ｐ、および第２凸部２９の頂点（頂部の上部）２９Ｐを含む平面に正対する方向（同図では、＋Ｘ方向）から見たとき、第１凸部２８の頂点（頂部の上部）２８Ｐと第２凸部２９の頂点（頂部の上部）２９Ｐを結ぶ第１仮想直線Ｌ１の中点Ｇを通り、第１仮想直線Ｌ１と直交する第２仮想直線Ｌ２に、少なくとも一部が重なる位置に検出部１８の窓部１３が設けられる。
【００６７】
このような、第１凸部２８、第２凸部２９、および検出部１８の窓部１３の位置関係とすることにより、第１凸部２８、および第２凸部２９が、検出部１８の窓部１３を介して対称位置、換言すれば二等辺三角形の三つの頂点に近似する位置に配置されることになる。したがって、手首ＷＲ（図１参照）に装着する際に、窓部１３を基点として両側の装着バランスが良好となり、装着感を向上させることができるとともに、検出部１８（窓部１３）を安定的に装着部（生体としての手首ＷＲ：図１参照）に密着させることができる。
【００６８】
なお、第１凸部２８、第２凸部２９、および検出部１８（窓部１３）は、検出部１８もしくは窓部１３の突出量ｈ１が、第１凸部２８の突出量ｈ２、および第２凸部２９の突出量ｈ３よりも大きくなるように配置されることが好ましい。
このような配置では、突出量ｈ１が大きいことによって、検出部１８（窓部１３）を手首ＷＲ（図１参照）に確実に密着させることができ、検出部１８（窓部１３）の、例えば横ずれなどの移動を防止することができる。これにより、検出部１８（窓部１３）の移動によって生じる虞のある測定ノイズを減少させることができ、測定精度を高めることが可能となる。
【００６９】
また、第１凸部２８、第２凸部２９、および検出部１８（窓部１３）は、第１凸部２８の突出量ｈ２、および第２凸部２９の突出量ｈ３が、検出部１８もしくは窓部１３の突出量ｈ１よりも大きくなるように配置してもよい。
このような配置では、装着感を損なうことなく検出部１８（窓部１３）を、装着部（生体としての手首ＷＲ（図１参照））に密着させるとともに、第１凸部２８、第２凸部２９の大きな突出量ｈ２，ｈ３により、第１バンド部２２および第２バンド部２４と手首（図１参照）との隙間を確保でき、その隙間から容易に汗や水分を逃がすことが可能となる。これにより、第１バンド部２２および第２バンド部２４（バンド２０）の装着感を向上させることができる。
【００７０】
また、第１凸部２８および第２凸部２９は、第１バンド部２２および第２バンド部２４の内側（手首側）に、予め用意した、例えば半球体、円錐体、もしくは頂部からほぼ同心状に裾を引いたコニーデ型円錐体などを接合することで設けることができる。また、第１凸部２８および第２凸部２９は、第１バンド部２２および第２バンド部２４（バンド２０）と同じ材質で構成することも可能であり、さらに好適である。この場合、第１バンド部２２および第２バンド部２４（バンド２０）を形成する際の同一工程で、例えば半球体、円錐体、もしくは頂部からほぼ同心状に裾を引いたコニーデ型円錐体などの形状の第１凸部２８および第２凸部２９が形成されるため、効率的（形成のための工数が不要）である。なお、第１凸部２８および第２凸部２９の形状は、前述の例示形状に限らず、手首ＷＲ（図１参照）などに押圧された場合に、痛みなどの違和感を生じない形状であればよい。
【００７１】
（凸部の構成に係る変形例）
ここで、凸部としての第１凸部２８および第２凸部２９の変形例について、図４（ａ）〜図４（ｄ）を参照して説明する。なお、以下の第１凸部２８および第２凸部２９の変形例の説明では、第１バンド部２２における第１凸部２８の構成を代表例として用い説明するが、第２バンド部２４における第２凸部２９も同様な構成とすることができる。また、本変形例に係る凸部の構成は、前述および後述する種々の構成に対して適用することができる。
【００７２】
図４（ａ）に示す変形例１に係る凸部としての第１凸部２８は、第１バンド部２２の裏面２２ｂから突出する柱状部２８ｇと、柱状部２８ｇの先端側に設けられている頂部２８ｈとを含んでいる。柱状部２８ｇは、例えば円柱形状をなして裏面２２ｂから突出している。そして円柱状の柱状部２８ｇを介した第１凸部２８の先端部に頂部２８ｈが設けられている。頂部２８ｈは、柱状部２８ｇを柱状部２８ｇの円周側からみた断面視で、外周面（外面）を曲面形状、本変形例では円弧の一部として形成されている。即ち本変形例における頂部２８の外周面は、球体の一部（半球状）で構成されている。そして、柱状部２８ｇの外周面（外面）と頂部２８ｈの外周面とが、曲線で滑らかに接続されている。換言すれば、角部を形成することなく柱状部２８ｇの外周面と頂部２８ｈの外周面とが連結されている。
【００７３】
このように柱状部２８ｇを備えた第１凸部２８とすることにより、第１凸部２８の突出量を確実に備えることが可能となる。これにより、検出部１８（窓部１３）（図２参照）を手首ＷＲ（図１参照）に密着させながら、第１バンド部２２と手首ＷＲとの隙間を第１凸部２８により確保することができ、その隙間から容易に汗や水分を逃がすことができる。
また、柱状部２８ｇと頂部２８ｈとが曲線で接続されていることから、第１凸部２８の外周形状に角部が存在しない滑らかな形状となり、検出部１８（窓部１３）（図２参照）を強めに手首ＷＲ（図１参照）に装着する場合などにおいても装着者の不快感を増加させることがなく、装着感を高めることが可能となる。
【００７４】
図４（ｂ）に示す変形例２に係る凸部としての第１凸部２８は、第１バンド部２２の裏面２２ｂから突出する柱状部２８ｇ１と、柱状部２８ｇ１の先端側に設けられている頂部２８ｈ１とを含んでいる。本変形例２では、柱状部２８ｇ１の構成が前述の変形例１と異なる。柱状部２８ｇ１は、裏面２２ｂ側から先端側に向けて徐々に径が小さくなるような円筒形、換言すれば断面視で台形状の円筒形を成して突出している。そして柱状部２８ｇ１を介した第１凸部２８の先端部に頂部２８ｈ１が設けられている。頂部２８ｈ１は、前述の変形例１と同様に、柱状部２８ｇ１の円周側からみた断面視で、外周面を曲面形状で形成された球体の一部（半球状）で構成されている。そして、柱状部２８ｇ１の外周面と頂部２８ｈ１の外周面とが、曲線で滑らかに接続されている。換言すれば、角部を形成することなく柱状部２８ｇ１の外周面と頂部２８ｈ１の外周面とが連結されている。
【００７５】
このように柱状部２８ｇ１を備えていることにより、前述の変形例１の効果に加えて、第１凸部２８の強度を強めることができ、検出部１８（窓部１３）（図２参照）を強めに手首ＷＲ（図１参照）に装着する場合などにおいても、第１凸部２８の変形を小さくすることができ、安定した測定を行うことができる。
【００７６】
図４（ｃ）に示す変形例３に係る凸部としての第１凸部２８は、第１バンド部２２の裏面２２ｂから突出する柱状部２８ｇ２の先端部に設けられた頂部２８ｈ２の構成が変形例１と異なる。頂部２８ｈ２は、柱状部２８ｇ２の平面視での中央部に設けられた凹部２８ｒの外周を囲む半球状に構成されている。そして、柱状部２８ｇ２の外周面（外面）と頂部２８ｈ２の外周面（外面）、および凹部２８ｒの外周面（外面）と頂部２８ｈ２の外周面（外面）は、それぞれ曲線で滑らかに接続されている。換言すれば、角部を形成することなくそれぞれが連結されている。なお、頂部２８ｈ２は、柱状部２８ｇ２の外周に沿って連続的に一周してもよいし、曲線で連結された凸状部が間欠配置されている構成でもよい。
このような構成の変形例３においても、前述の変形例１の第１凸部２８と同様な効果を有している。
【００７７】
図４（ｄ）に示す変形例４に係る凸部としての第１凸部２８は、前述した第１バンド部２２の材質と異なる材質で形成されている。つまり、第１凸部２８と第１バンド部２２とは、別々に形成される。第１凸部２８の構成は、前述した変形例１と同様な構成であり、柱状部２８ｇ３と頂部２８ｈ３とを有している。そして、柱状部２８ｇ３は、第１バンド部２２の裏面２２ｂに、例えば接着剤Ｑを用いて接続され、手首ＷＲ（図１参照）側に突出する。なお、この接続は、接着剤Ｑに替えて溶着法（融着法）などを用いることができる。
【００７８】
また、第１凸部２８の材質は、例えばシリコーン樹脂、塩化ビニル系樹脂、ポリアミド系樹脂（ナイロン系樹脂）、ウレタン系樹脂など、第１バンド部２２の材質より柔らかな材質で構成されていることが好ましい。なお、このような柔らかい材質での構成は、第１凸部２８全体であってもよいし、第１凸部２８の少なくとも頂部が第１バンド部２２の材質より柔らかな材質で構成されていてもよい。
【００７９】
ここで、柔らかな材質とは、材料の機械的特性のうち、「伸び」、「曲げ強度」、「曲げ弾性率」で表される特性を指標としで示すことができ、第１バンド部２２と、第１凸部２８との材質の組み合わせとしては、以下に挙げるような組み合わせを例示することができる。
１）第１バンド部２２をポリウレタン樹脂、第１凸部２８をシリコーン樹脂とする。
２）第１バンド部２２をポリカーボネート樹脂、第１凸部２８を塩化ビニル系樹脂とする。
３）第１バンド部２２をポリウレタン系樹脂、第１凸部２８をポリアミド（ナイロン系樹脂）とする。
【００８０】
このような変形例４に係る構成の第１凸部２８によれば、第１凸部２８の材質を第１バンド部２２の材質と異ならせることにより、第１凸部２８の形状もしくは柔軟性などを任意に設定することができる。これにより、それぞれの装着者に合った装着状態を実現可能な第１凸部２８とすることができ、装着感をより高めることが可能となる。
また、第１凸部２８が第１バンド部２２より柔らかな材質で構成されているため、装着時の違和感を減少させ、装着感を高めることが可能となる。
【００８１】
なお、上述では、第１凸部２８、第２凸部２９（変形例を含む）の構成（外周形状）を、第１バンド部２２および第２バンド部２４の裏面２２ｂおよび裏面２４ｂに正対する方向から見た、所謂平面視した外周形状（輪切りしたときの形状）を円形状で説明したがこれに限らない。第１凸部２８、第２凸部２９の外周形状は、如何なる形状であってもよく、例えば、四角形（長方形、台形を含む）、四角形を除く多角形（五角形や六角形）、楕円形、長円形（トラック形状）などを例示することができる。
【００８２】
《バックル部の構成》
図５および図６を参照して、測定機器１のバックル部の構成およびバンドとの接続構造について説明する。図５および図６は、バックル部の構成およびバンドとの接続構造を示す図である。詳しくは、図５（ａ）は、開放状態におけるバックル部の側面図である。図５（ｂ）は、第１プレートに第１バンド部２２が接続された状態のバックル部を内側から見た斜視図である。図５（ｃ）は、図５（ｂ）の状態を外側から見た平面図である。図６（ａ）は第２プレートに第２バンド部２４が接続された状態のバックル部を内側から見た斜視図である。図６（ｂ）は、装着状態におけるバンドおよびバックル部の側面図である。図６（ｃ）は、図６（ｂ）の状態を外側から見た平面図である。なお、図６（ｂ）には、装着者の手首ＷＲの断面を２点鎖線で模式的に示している。
【００８３】
先ず、図５および図６を参照して、バックル部３０の構成およびバンド２０との接続構造について説明する。図５（ａ）に示すように、バックル部３０において、第１プレート３１の一端と第２プレート３２の一端とがヒンジ部３３で互いに回動可能に軸支されている。第１プレート３１は、他端に設けられたガイド部３４と、内側に延出する爪部３５と、外側に延出する爪部３６とを有している。第２プレート３２は、他端に設けられた接続部３７と、開放状態において内側に突出する凸状部３８とを有している。
【００８４】
バックル部３０は、ヒンジ部３３を回動軸として第２プレート３２の接続部３７側を矢印の方向に回動させ、図６（ｂ）に示すように、第２プレート３２が第１プレート３１の外側に重なるように折り畳むことで装着状態となる。装着状態では、第１プレート３１の爪部３６と、第２プレート３２の凸状部３８とが係合することにより、バックル部３０が折り畳まれた装着状態が保持される。また、凸状部３８の隣には、位置決め穴３９が形成されている。位置決め穴３９は、第２プレート３２の延在方向に沿った略長方形の穴である。
【００８５】
図６（ｂ）に示す装着状態においては、第１バンド部２２が最も手首ＷＲ側（内側）に配置され、手首ＷＲとは反対側（外側）に向かって、第１プレート３１、第２プレート３２、第２バンド部２４の順に配置される。この装着状態から、第１プレート３１の爪部３６と第２プレート３２の凸状部３８との係合を外し、第２プレート３２の接続部３７側を第１プレート３１から離間して外側へ展開することで、図５（ａ）に示す開放状態となる。
【００８６】
図５（ｂ）および図５（ｃ）に示すように、第１バンド部２２は、複数の調整穴部２６のいずれかが第１プレート３１の爪部３５と係合することにより、第１プレート３１に接続される。爪部３５と係合する調整穴部２６を適宜選択することにより、装着状態におけるバンド２０の実質的な長さが調整でき、これによりバンド２０による締め付け力を調整することができる。また、開放状態においても調整穴部２６と爪部３５とが係合し第１バンド部２２と第１プレート３１とが接続された状態で保持されるので、一旦バンド２０による締め付け力を調整すれば、手首ＷＲへの着脱を繰り返しても調整した締め付け力が再現される。
【００８７】
図５（ｂ）に示すように、第１バンド部２２の先端部２３は、内側、すなわち第１プレート３１とは反対側に曲げられている。そのため、開放状態から第１プレート３１と第２プレート３２とを折り畳んで装着状態にする際に、先端部２３が第１プレート３１側（外側）に反り返って、第１バンド部２２と第１プレート３１との間や、第２バンド部２４と第２プレート３２（図６（ｂ））との間に巻き込まれてしまうことを抑止できる。
【００８８】
図６（ａ）に示すように、第２バンド部２４は、第２プレート３２の接続部３７と接続部２７とがピン等により回動可能に軸支されることにより、第２プレート３２に接続される。第２バンド部２４の先端部２５は、内側、すなわち手首ＷＲ側に曲げられている。また、第２バンド部２４には、折り畳み時において第２プレート３２の位置決め穴３９と重なる位置に、凸形状４０が形成されている。バックル部３０が折り畳まれて、第２プレート３２と第２バンド部２４とが重なると、位置決め穴３９に凸形状４０が勘合される。これにより、第２バンド部２４の幅方向における両者の位置ズレを抑制することができる。上述したように、図６（ｂ）に示す装着状態において、第２バンド部２４は最も外側に配置される。その第２バンド部２４の先端部２５が内側に曲げられているので、装着状態において、先端部２５が衣類の袖等へ引っ掛かることが抑えられる。
【００８９】
また、図６（ｂ）に示すように、第２バンド部２４には、装着時において、爪部３６と重なる位置に、凹形状４１が形成されている。凹形状４１は、第２バンド部２４の幅方向の中程に窪み状（図示せず）に形成されており、爪部３６と凸状部３８とによる出っ張りを逃げている。これにより、第２バンド部２４の浮き上がりを抑制している。
【００９０】
図６（ｃ）に示すように、第１バンド部２２の幅Ｗ１と第２バンド部２４の幅Ｗ２とは、Ｗ１＜Ｗ２の関係にある。すなわち、装着状態において内側に配置される第１バンド部２２の幅Ｗ１よりも外側に配置される第２バンド部２４の幅Ｗ２の方が広い（大きい）。また、バックル部３０の最も幅が広い部分（本実施形態では、ガイド部３４）の幅をＷ３とすると、Ｗ３＜Ｗ２であることが好ましい。すなわち、装着状態において第２バンド部２４よりも内側に配置されるバックル部３０の幅Ｗ３よりも、第２バンド部２４の幅Ｗ２の方が広い（大きい）ことが好ましい。
【００９１】
最も外側に配置される第２バンド部２４の幅Ｗ２が、第１バンド部２２の幅Ｗ１およびバックル部３０の幅Ｗ３よりも広いと、第１バンド部２２とバックル部３０が第２バンド部２４で覆われる。これにより、装着状態において、金属材料からなるバックル部３０の衣類の袖等への引っ掛かりや障害物等への接触が抑えられ、見栄えも向上する。
【００９２】
ここで、第１バンド部２２および第２バンド部２４の少なくとも互いに接触する部分には、シボ加工、つまり凹凸加工が施されていることが好ましい。互いに接触する部分にシボ加工が施されていると、第１バンド部２２と第２バンド部２４とが互いに擦れ合う際の摩擦力が低減されて滑り易くなる。そのため、シボ加工が施されていない場合と比べて、装着する際の第１バンド部２２の先端部２３や第２バンド部２４の先端部２５の巻き込みが抑えられる、測定機器１の着脱を容易に行うことができる。
【００９３】
また、第１バンド部２２および第２バンド部２４の手首ＷＲに接する部分にも、シボ加工が施されていることが好ましい。手首ＷＲに接する部分にシボ加工が施されていると、シボ加工が施されていない場合と比べて、第１バンド部２２および第２バンド部２４の単位面積当たりの実質的な接触面積を小さくできる。これにより、装着状態において、第１バンド部２２および第２バンド部２４が手首ＷＲに密着することによる装着者の不快感を抑えることができる。
【００９４】
（バックル部の他の構成例）
次に、図７を参照して、他の構成のバックル部を有する測定機器１Ａの構成について説明する。図７は、バックル部の他の構成例を示す斜視図である。図７に示すように、測定機器１Ａは、機器本体であるケース部１０と、ケース部１０を手首ＷＲ（図９参照）に固定するバンド２０Ａと、バンド２０Ａに接続するバックル部３０Ａと、を備えている。
【００９５】
バンド２０Ａは、Ｙ軸方向に沿ってケース部１０の正面側を覆うとともにケース部１０の両側から延出されている。バンド２０Ａは、ケース部１０の配置された部分から一端側に伸びる第１バンド部２２Ａと、他端側に伸びる第２バンド部２４Ａとを備えている。単品（初期）状態におけるバンド２０Ａは、側面視において、その中程であるケース部１０の配置部を頂部として、左右に第１バンド部２２Ａと、第２バンド部２４Ａとが垂れ下がる逆Ｕ字状の形状となっている。そして、第２バンド部２４Ａの端部には、バックル部３０Ａおよび遊革３３Ａが設けられている。
【００９６】
また、第１バンド部２２Ａには、第１バンド部２２Ａの内側面（図９に示す手首ＷＲ側の面）から手首側に突出する凸部としての第１凸部２８Ａ（図７では図示されない（図９参照））が設けられている。また、同様に第２バンド部２４Ａには、ケース部１０を介して第１凸部２８Ａと対向する位置に、第２バンド部２４Ａの内側面（図９に示す手首ＷＲ側の面）から突出する凸部としての第２凸部２９Ａが設けられている。なお、第１凸部２８Ａおよび第２凸部２９Ａの構成は、前述した測定機器１の第１凸部２８および第２凸部２９と同様であるので、ここでの詳細な説明は省略する。
【００９７】
バックル部３０Ａは、第２バンド部２４Ａの端部に備えられている軸ピン（同図では図示せず）によって回転自在に設けられた美錠３１Ａおよびつく棒３２Ａを有している。そして、バックル部３０Ａは、美錠３１Ａ内でつく棒３２Ａを第１バンド部２２Ａに形成された装着穴２６Ａに挿入することによって、第１バンド部２２Ａと連結することができる。即ち、第１バンド部２２Ａと第２バンド部２４Ａとを連結することができる。このように、バックル部３０Ａは、バンド２０Ａ全体の長さを調整する機能をもつ部品である。また、遊革３３Ａは、バックル部３０Ａよりケース部１０側の第２バンド部２４Ａに移動可能に装着され、第１バンド部２２Ａの端部（剣先）を保持する機能をもつ環状の部品である。
【００９８】
《測定機器の装着》
次に、図８および図９を参照して、測定機器１，１Ａの装着状態について説明する。なお、図８は、測定機器１の装着状態を示す側面図である。また、図９は、他の構成のバックル部を有する測定機器１Ａの装着状態における側面図である。
【００９９】
先ず、測定機器１の装着状態について、図８に沿って説明する。図８に示すように、測定機器１は、バックル部３０を折り畳むことによって、手首ＷＲに装着される。測定機器１は、検出部１８に設けられた検出窓としての窓部１３を手首ＷＲに適度な強さで密着させるために必要な締め付けを行って装着されている。つまり、窓部１３と手首ＷＲとの密着性を確保するために、内周７２の長さを手首ＷＲの周囲長さよりも、若干短く設定する。そして、バックル部３０と調整穴との位置設定、およびバンド２０の弾性による適度な押圧力によって、窓部１３を手首ＷＲに適度な強さで密着させることができる。なお、ここでの内周７２は、窓部１３、第１凸部２８、および第２凸部２９の頂部（頂点）を通る周である。そして、バンド２０（第１バンド部２２および第２バンド部２４）は、第１凸部２８、および第２凸部２９によって手首との間に隙間を形成しながら、手首ＷＲに窓部１３を密着させる。
【０１００】
このように、測定機器１を装着する際には、バックル部３０を伸ばして長くした状態とし、この状態で形成される環状の大きな開口部に、手をすぼめて挿入した後、手首ＷＲの装着位置でバックル部３０を折り畳んで短くすることにより、測定機器１を簡便に装着することができる。よって、測定機器１によれば、生体情報を安定的に測定するために必要な密着性（装着性）を確保することができる。また、着脱を繰り返しても、生体情報を安定的に測定可能な測定機器１を提供することができる。
【０１０１】
次に、他の構成のバックル部を有する測定機器１Ａの装着状態について、図９に沿って説明する。図９に示すように、測定機器１Ａは、第１バンド部２２Ａと第２バンド部２４Ａとをバックル部３０Ａによって連結することで手首ＷＲに装着される。具体的に説明すると、バンド２０Ａによって、測定機器１Ａを手首ＷＲに装着する場合には、第２バンド部２４Ａに軸ピン３４Ａを介して回動可能に設けられた美錠３１Ａ内に第１バンド部２２Ａの端部（剣先）を挿入し、所定の密着力を確保した状態の位置において、軸ピン３４Ａを軸として回動可能に装着された受け部３５Ａを介したつく棒３２Ａを装着穴２６Ａに挿過する。
【０１０２】
このように、測定機器１Ａは、検出部１８に設けられた検出窓としての窓部１３を手首ＷＲに適度な強さで密着させるために必要な締め付けを行って装着される。つまり、つく棒３２Ａと装着穴２６Ａとの位置設定、およびバンド２０Ａの弾性による適度な押圧力によって、窓部１３（図示せず）を手首ＷＲに適度な強さで密着させることができる。なお、バンド２０Ａ（第１バンド部２２Ａおよび第２バンド部２４Ａ）は、第１凸部２８Ａ、および第２凸部２９Ａによって手首との間に隙間を形成しながら、手首ＷＲに窓部１３を密着させる。
【０１０３】
以上説明した実施形態１にかかる生体情報測定機器１（測定機器１または測定機器１Ａ）によれば、ケース部１０から突出した検出部１８（窓部１３）、およびバンド２０に備えられた凸部としての第１凸部２８および第２凸部２９によって、少ない密着面積で生体情報測定機器１を被検体である生体（手首ＷＲ）に装着することができる。したがって、手首ＷＲとの間の非密着部分（隙間）を生じ、この非密着部分（隙間）から、装着者の汗や生活するにあたって避けられない水分（例えば、手洗い後の水滴）を、発散させたり排出したりすることが可能となる。これにより、長時間に亘り生体情報測定機器１を装着していても、装着者の汗や生活するにあたって避けられない水分（例えば、手洗い後の水滴）が、バンドと皮膚との間に溜まってしまうなどによる装着者の不快感（例えば、皮膚の痒み、違和感、装着跡など）を生じ難くすることができる。
さらに、突出する検出部１８（窓部１３）とバンド２０の凸部（第１凸部２８および第２凸部２９）により、生体情報測定機器１のずれ移動が起き難くなり、手首ＷＲと生体情報測定機器１との間の位置ずれを防止することができ、位置ずれによる検出精度の低下防止と上述の装着性を両立させることが可能となる。
さらに、密着部分が少ないため、腱や筋肉などの動きの影響を受け難くなり、装着者の動作や体動に起因する生体（手首ＷＲ）と生体情報測定機器１との間の位置変化による検出ノイズを減少させることができ、これによる検出精度の低下を防止することが可能となる。
【０１０４】
（バンドの他の構成例）
次に、図１０を参照して他の構成のバンドを有する測定機器１Ｂの構成について説明する。図１０は、バンドの他の構成例を示す側面図である。本構成のバンド２０Ｂは、前述した構成の測定機器１のバンド２０と比し、その構成におけるバックル部３０を設けない構成であるところが異なる。なお、前述した構成の測定機器１と同様の構成については、同符号を付してその説明を省略する。
【０１０５】
図１０に示すように、測定機器１Ｂは、機器本体であるケース部１０と、ケース部１０を手首ＷＲ（図示せず）に固定するバンド２０Ｂと、を備えている。
バンド２０Ｂは、Ｙ軸方向に沿ってケース部１０の正面側を覆うとともにケース部１０の両側から延出されており、開口部２１ｂから一端側に伸びる第１バンド部２２Ｂと、他端側に伸びる第２バンド部２４Ｂとを備えている。第１バンド部２２Ｂの内周側（図示しない手首ＷＲ側）には、第１凸部２８Ｂが設けられ、第２バンド部２４Ｂの内周側には、第２凸部２９Ｂが設けられている。単品（初期）状態におけるバンド２０Ｂは、側面視において、その中程（開口部２１ｂ（図２参照））を頂部として、左右に第１バンド部２２Ｂと、第２バンド部２４Ｂとが逆Ｕ字状に垂れ下がり、且つ生体（図示しない手首ＷＲ）の外周形状に倣った形状となっている。なお、第１バンド部２２Ｂ、および第２バンド部２４Ｂは、可撓性（バネ性）を有しており、第１バンド部２２Ｂの先端部２３Ｂ、および第２バンド部２４Ｂの先端部２５Ｂが互いに向き合って開口された構成となっている。また、単品（初期）状態におけるバンド２０Ｂは、側面視において、窓部１３、第１凸部２８Ｂ、および第２凸部２９Ｂの頂部（頂点）を通る内周の長さが、手首ＷＲ（図示せず）の周囲長さよりも若干短くなるように設定されている。
【０１０６】
バンド２０Ｂは、前述したバンド２０と同様な材料で形成することができる。バンド２０Ｂは、手首ＷＲ（図示ぜす）に対して適度な締め付け力が得られるような柔軟性や弾性力と良好な耐久性とを有し、肌に優しい（皮膚に対する刺激の少ない）ことが望ましく、シリコーンゴムを好適に用いることができる。なお、バンド２０Ｂの可撓性は、材料自体の可撓性を用いたり、もしくは第１バンド部２２Ｂ、および第２バンド部２４Ｂの内に、可撓性を有する金属バネ材を包含させたりすることで実現できる。
このような材料でバンド２０Ｂを形成することにより、第１凸部２８Ｂや第２凸部２９Ｂによる隙間からの通気性を確保しつつ、ケース部１０（窓部１３）を適度な押圧力で手首ＷＲ（図示せず）に固定することが可能となり、窓部１３を検出位置に密着させることができる。
【０１０７】
測定機器１Ｂを手首ＷＲ（図示せず）の装着に当たっては、第１バンド部２２Ｂの先端部２３Ｂ、および第２バンド部２４Ｂの先端部２５Ｂの開口を、図中矢印Ｑ１，Ｑ２の方向に押し広げ、手首ＷＲをバンド２０Ｂの内周側に挿入することによって行われる。このため、第１バンド部２２Ｂの先端部２３Ｂ、および第２バンド部２４Ｂの先端部２５Ｂは、挿入の際に滑りやすくするため、例えば外周面が球面状などの滑らかな曲線によって形成されることが望ましい。
【０１０８】
そして、測定機器１Ｂは、検出部１８に設けられた検出窓としての窓部１３を手首ＷＲ（図示せず）に適度な強さで密着させるために必要な締め付けを行って装着される。つまり、第１バンド部２２Ｂおよび第２バンド部２４Ｂの持っているバネ力（可撓性）により、適度な押圧力によって、窓部１３を手首ＷＲに適度な強さで密着させることができる。なお、バンド２０Ｂ（第１バンド部２２Ｂおよび第２バンド部２４Ｂ）は、第１凸部２８Ｂ、および第２凸部２９Ｂによって手首との間に隙間を形成しながら、手首ＷＲに窓部１３を密着させる。
【０１０９】
以上説明した測定機器１Ｂによれば、バックル部を用いずに、ケース部１０から突出した検出部１８（窓部１３）、およびバンド２０Ｂに備えられた凸部としての第１凸部２８Ｂおよび第２凸部２９Ｂによって、少ない密着面積で測定機器１Ｂを被検体である生体（手首ＷＲ）に装着することができる。このような簡便な脱着でも、手首ＷＲとの間の非密着部分（隙間）を生じ、この非密着部分（隙間）から、装着者の汗や生活するにあたって避けられない水分（例えば、手洗い後の水滴）を、発散させたり排出したりすることが可能となる。これにより、長時間に亘り測定機器１Ｂを装着していても、装着者の汗や生活するにあたって避けられない水分（例えば、手洗い後の水滴）が、バンドと皮膚との間に溜まってしまうなどによる装着者の不快感（例えば、皮膚の痒み、違和感、装着跡など）を生じ難くすることができる。
さらに、突出する検出部１８（窓部１３）とバンド２０Ｂの凸部（第１凸部２８Ｂおよび第２凸部２９Ｂ）により、測定機器１Ｂのずれ移動が起き難くなり、手首ＷＲと測定機器１Ｂとの位置ずれを防止することができ、位置ずれによる検出精度の低下を防止することが可能となる。
さらに、密着部分が少ないため、腱や筋肉などの動きの影響を受け難くなり、装着者の動作や体動に起因する生体（手首ＷＲ）と測定機器１Ｂとの間の位置変化による検出ノイズを減少させることができ、これによる検出精度の低下を防止することが可能となる。
【０１１０】
（測定機器１Ｂに係るバンドの変形例）
次に、図１１を参照して、測定機器１Ｂに係るバンドの変形例（測定機器１Ｅ，１Ｆ，１Ｇ）について説明する。図１１は、測定機器１Ｂに係るバンドの変形例を示す側面図であり、図１１（ａ）は、バンドの第１変形例（測定機器１Ｅ）を示し、図１１（ｂ）は、バンドの第２変形例（測定機器１Ｆ）を示し、図１１（ｃ）は、バンドの第３変形例（測定機器１Ｇ）を示している。
【０１１１】
図１１（ａ）に示す測定機器１Ｅは、第１バンド部２２Ｂに、手首ＷＲ（不図示）側に突出し、第１バンド部２２Ｂの延在方向に長い裾を引いた第１凸部２８Ｃを備え、第２バンド部２４Ｂに、手首ＷＲ側に突出し、第２バンド部２４Ｂの延在方向に長い裾を引いた第２凸部２９Ｃを備えている。
【０１１２】
図１１（ｂ）に示す測定機器１Ｆは、第１バンド部２２Ｂの先端部に、第１バンド部２２Ｂの厚さより大きな直径の球体である第１凸部２８Ｄを備え、第２バンド部２４Ｂの先端部に、第２バンド部２４Ｂの厚さより大きな直径の球体である第２凸部２９Ｄを備えている。球体である第１凸部２８Ｄ、および球体である第２凸部２９Ｄは、第１バンド部２２Ｂ、および第２バンド部２４Ｂの内面よりも手首ＷＲ（不図示）側に突出している。
【０１１３】
図１１（ｃ）に示す測定機器１Ｇは、第１バンド部２２Ｂの先端部が最も手首ＷＲ（不図示）側に突出し、そこからケース部１０に向かって緩やかな裾を引いた形状の第１凸部２８Ｅと、第２バンド部２４Ｂの先端部が最も手首ＷＲ（不図示）側に突出し、そこからケース部１０に向かって緩やかな裾を引いた形状の第２凸部２９Ｅとが備えられている。
【０１１４】
上述した測定機器１Ｅ，１Ｆ，１Ｇにおける第１凸部２８Ｃ，２８Ｄ，２８Ｅ、および第２凸部２９Ｃ，２９Ｄ，２９Ｅによれば、いずれも手首ＷＲ（不図示）側に突出する凸部を備えているため、測定機器１Ｂと同様な効果を奏することができる。
【０１１５】
（生体情報測定機器の変形例）
次に、図１２を参照して生体情報測定機器の変形例について説明する。図１２は、生体情報測定機器の変形例を示し、図１２（ａ）は、バンド２０の第１凸部および第２凸部の配置例を示す側面図であり、図１２（ｂ）は、ケース部１０の構成例を示す側面図である。なお、図１２（ａ）および図１２（ｂ）では、バンド２０の先端部分を省略している。また、本変形例の説明では、前述の生体情報測定機器１と同様な構成については、同符号を付してその説明を省略することがある。
【０１１６】
先ず、図１２（ａ）を参照して、生体情報測定機器の変形例に係る測定機器１Ｃ（バンド２０Ｃの第１凸部２８，２８ａおよび第２凸部２９，２９ａの配置例）について説明する。本変形例の測定機器１Ｃは、ケース部１０と、ケース部１０を手首ＷＲ（不図示）に固定するバンド２０Ｃと、を備えている。
【０１１７】
バンド２０Ｃは、Ｙ軸方向に沿って延在している。バンド２０Ｃは、ケース部１０の上面１０ａを覆う本体部２１と、本体部２１からケース部１０の側部１１に沿った方向の一方の側に延出する第１バンド部２２Ｃと、本体部２１からケース部１０の側部１１に沿った方向の他方の側に延出する第２バンド部２４Ｃとを有している。
【０１１８】
第１バンド部２２Ｃには、第１バンド部２２Ｃの内側面（手首ＷＲ側の面）から手首ＷＲ側に突出する二つの凸部として第１凸部２８，２８ａが設けられている。また、同様に第２バンド部２４Ｃには、ケース部１０を介して第１凸部２８，２８ａと対向する位置に、第２バンド部２４Ｃの内側面（手首ＷＲ側の面）から手首ＷＲ側に突出する二つの凸部として、第２凸部２９，２９ａが設けられている。第１凸部２８，２８ａは、第１バンド部２２Ｃの延在方向に沿って並んで配置されている。また、同様に、第２凸部２９，２９ａは、第２バンド部２４Ｃの延在方向に沿って並んで配置されている。このように、変形例に係る測定機器１Ｃのそれぞれのバンド（第１バンド部２２Ｃおよび第２バンド部２４Ｃ）には、複数の第１凸部２８，２８ａ、もしくは第２凸部２９，２９ａが設けられている。
【０１１９】
このように、測定機器１Ｃは、第１バンド部２２Ｃに複数の第１凸部２８，２８ａが設けられ、第２バンド部２４Ｃにも複数の第２凸部２９，２９ａが設けられていることから、それぞれのバンド（第１バンド部２２Ｃおよび第２バンド部２４Ｃ）と、生体としての手首ＷＲ（不図示）とがしっかりと密着し、測定機器１Ｃの移動を抑制することができる。これにより、手首ＷＲと測定機器１Ｃとの間の位置ずれを防止することができ、位置ずれによる検出精度の低下を防止することができる。また、複数の第１凸部２８，２８ａおよび第２凸部２９，２９ａにより、バンド２０Ｃと手首ＷＲ（不図示）との間に複数の隙間を設けることができ、この隙間から汗や水分を逃がすことが可能となり、装着感を向上させることができる。
【０１２０】
なお、本変形例では、第１バンド部２２Ｃおよび第２バンド部２４Ｃのそれぞれに、複数の凸部の一例として、二つの凸部が設けられている構成で説明したが、凸部の数はこれに限らない。凸部の数は、手首ＷＲ側との間に隙間が形成されれば幾つ並んでいてもよく、その数は問わない。
【０１２１】
次に、図１２（ｂ）を参照して、生体情報測定機器の変形例に係る測定機器１Ｄについて説明する。本変形例に係る測定機器１Ｄは、手首ＷＲ（不図示）の外周に倣って湾曲した底面１０ｃのケース部１０Ｄを備えている。
ケース部１０Ｄは、Ｙ軸方向に沿った側部１１とＸ軸方向に沿った端部１２とを有し、正面視において側部１１を長辺とし端部１２を短辺とする略長方形状である。また、ケース部１０Ｄは、測定機器１Ｄの正面側に凸状の曲面で構成される上面１０ａを有し、上面１０ａとは反対側、すなわち、手首ＷＲ（不図示）に面する側に底面１０ｃを有している。
底面１０ｃは、手首ＷＲ（不図示）の外周に倣って湾曲した曲面であり、その曲面から突出する検出部１８（窓部１３）が配置されている。
【０１２２】
このように、ケース部１０Ｄが、手首ＷＲに倣って湾曲した底面１０ｃを有し、そこから突出する検出部１８（窓部１３）が配置されていることにより、より確実に検出部１８（窓部１３）を手首ＷＲに当接（密着）させることができる。
【０１２３】
（凸部の配置に係る変形例）
以上、種々のバンド形態およびそこに設けられている凸部について説明したが、凸部の配置については、手首ＷＲ側との間に隙間が形成され、且つ手首ＷＲとの密着がされればよく、図１３に例示するような配置を用いても同様の効果を奏する。図１３（ａ）〜図１３（ｄ）は、凸部の配置に係る変形例を示し、バンドを内側からみた正面図である。
【０１２４】
図１３（ａ）に示す変形例は、第１バンド部２２の中央部に、第１凸部２８が第１バンド部２２の延在方向に沿って並んでいる例である。なお、同様に第２バンド部２４にも、その中央部に、第２凸部２９が第２バンド部２４の延在方向に沿って並んでいる。
【０１２５】
図１３（ｂ）に示す変形例は、複数列の凸部が設けられている例である。詳細には、第１バンド部２２の延在方向に沿って並ぶ第１列の第１凸部２８Ｌと、同様に第１列に並走する第２列の第１凸部２８Ｒとが第１バンド部２２に設けられている。第１列の第１凸部２８Ｌと第２列の第１凸部２８Ｒとは、第１バンド部２２の幅方向に横並びに配置されている。なお、同様に、第２バンド部２４にも、並走する２つの列に設けられた第２凸部２９Ｌ，２９Ｒが設けられている。
【０１２６】
図１３（ｃ）に示す変形例は、第１列の第１凸部２８Ｌと第２列の第１凸部２８Ｒとが、互い違いに配置された複数列（二列）の凸部が、第１バンド部２２に設けられた例である。なお、同様に、第２バンド部２４にも、互い違いに並走する２つの列に設けられた第２凸部２９Ｌ，２９Ｒが設けられている。
【０１２７】
図１３（ｄ）に示す変形例は、第１バンド部２２の幅方向に並ぶ第１凸部２８Ｌ，２８Ｒと、第１バンド部２２の幅方向の中央部の第１凸部２８ＣＥとが、第１バンド部２２の延在方向に交互に配置されている例である。同様に、第２バンド部２４にも、第２バンド部２４の幅方向に並ぶ第２凸部２９Ｌ，２９Ｒと、第２バンド部２４の幅方向の中央部の第２凸部２９ＣＥとが、第２バンド部２４の延在方向に交互に配置されている。
【０１２８】
（その他の応用例）
上述の実施形態１では、検出部１８（窓部１３）がケース部１０に設けられ、ケース部から突出している例で説明したが、この構成に限らない。例えば、検出部１８（窓部１３）を、バンド２０に設けられている凸部（第１凸部２８、第２凸部２９）の少なくとも一つに、第２検出部として、検出部１８（窓部１３）と同様な機能を備えた検出部（窓部）を設ける構成が適用できる。
【０１２９】
本構成によれば、検出部１８（窓部１３）に加えて、凸部の少なくとも一つに第２検出部を備えていることから、例えば何らかの不具合により検出部１８における検出ができない場合に、第２検出部が代わって検出を行うことができる、所謂補完検出（サポート）を行うことができる。これにより、所定の検出タイミングにおける検出の抜け（非検出）が減少し、より確実な検出を行うことができる。換言すれば、連続して設定された検出タイミングにおける、検出のできた割合、所謂検出率を高めることができる。
【０１３０】
また、上述した実施形態１に係る構成例、変形例、応用例において、第１バンド部２２，２２Ａ，２２Ｂ、および第２バンド部２４，２４Ａ，２４Ｂは、それぞれ同数の凸部（第１凸部２８，２８Ａ〜２８Ｅ，２８Ｌ，２８Ｒ，２８ＣＥ、または第２凸部２９，２９Ａ〜２９Ｅ，２９Ｌ，２９Ｒ，２９ＣＥ）を備えていることが好ましい。
【０１３１】
このように、双方のバンド（第１バンド部２２，２２Ａ，２２Ｂ、および第２バンド部２４，２４Ａ，２４Ｂ）のそれぞれに同数の凸部が設けられていることにより、ケース部１０を介した両側における凸部と手首ＷＲとが、同様の状態で当接することができる。これにより、測定機器１，１Ａ〜１Ｇの生体（手首ＷＲ）への装着バランスが良好となり、装着感を向上させることができるとともに、検出部１８（窓部１３）を安定的に生体（手首ＷＲ）に密着させることができる。
【０１３２】
（実施形態２）
次に、本発明の実施形態２について図面を用いて説明する。
実施形態２に係る生体情報測定機器は、前述の実施形態１と同様に、生体情報を測定される生体（例えば人体）に装着され、脈拍（心拍数）等の生体情報を測定する心拍数監視装置である。なお、以下に示す各図においては、各構成要素を図面上で認識され得る程度の大きさとするため、各構成要素の寸法や比率を実際の構成要素とは適宜に異ならせて記載する場合がある。また、以下の実施形態２〜５においても、実施形態１で説明したバンド２０の凸部などの構成は、同様に適用することができる。
【０１３３】
まず、実施形態２に係る生体情報測定機器としての心拍数監視装置１０１０について説明する前に、図１４を用いて実施形態２に係る生体情報測定機器としての心拍数監視装置の従来例について説明する。
【０１３４】
図１４は、心拍数監視装置を装着しているユーザー（装着者）１０００（同図では、ユーザーの腕を示す）の、生理的パラメーター（生体情報）を測定する従来例の生体情報測定機器としての心拍数監視装置１０１０を示す断面図である。心拍数監視装置１０１０は、ユーザー１０００の少なくとも一つの生理的パラメーターとしての心拍数を計測するセンサー１０１２と、センサー１０１２を収納しているケース１０１４を備えている。心拍数監視装置１０１０は、固定部１０１６（例えばバンド）によって、ユーザー１０００の腕１００１に装着される。
【０１３５】
このセンサー１０１２は、二つのセンサーエレメントである発光部としての発光素子１１２１および受光部としての受光素子１１２２を備え、心拍数を測定するかまたはモニターするための心拍数監視センサーである。しかし、一つ以上の生理的パラメーター（例えば心拍数、血圧、呼気量、皮膚伝導率、皮膚湿度など）を測定するセンサーであってもよい。また、ケース１０１４が、バンドタイプのハウジングを備えている場合は、例えばスポーツにおいて使われる腕時計型の監視装置として用いることができる。なお、ケース１０１４の形は、主にユーザー１０００に関して所望の位置でセンサー１０１２を保持することができればよく、任意に電池、処理ユニット、表示、ユーザー・インターフェイスなどのような更なる要素を収納することができてもよい。
【０１３６】
従来例の生体情報測定機器は、ユーザーの心拍数をモニターするための心拍数監視装置１０１０である。そして、センサー１０１２は発光素子１１２１および受光素子１１２２から成る光学センサーである。光学センサーを用いた光学的心拍数モニターは、皮膚に光をあてる光源としての発光素子１１２１（通常ＬＥＤが用いられる）に依存する。発光素子１１２１から皮膚に照射された光は、皮膚下の血管を流れる血液によって一部が吸収されるが、残りの光は反射され皮膚を出る。そして、反射された光は、受光素子１１２２（通常フォトダイオードが用いられる）によって、捕捉される。受光素子１１２２からの受光信号は、血管を流れる血液量に相当する情報を含む信号である。血管を流れる血液量は、心臓の脈動によって変化する。そして、このように、受光素子１１２２上の信号は心臓の拍動に対応して変化する。つまり、受光素子１１２２の信号の変化は、心拍数のパルスに相当するものである。そして、単位時間当たりのパルス数を計数することによって（例えば１０秒当たり）、心臓が１分間に打つ数（即ち心拍数）が得られる。
【０１３７】
以下、図１５を用いて実施形態２に係る生体情報測定機器としての心拍数監視装置１０２０について説明する。図１５は、実施形態２に係る生体情報測定機器としての心拍数監視装置を示す斜視図である。実施形態２に係る生体情報測定機器としての心拍数監視装置１０２０は、図１５では図示していないが、前述の実施形態１と同様に、バンドなどの固定部によって、ユーザーの腕に装着される。
【０１３８】
実施形態２に係る生体情報測定機器としての心拍数監視装置１０２０は、複数（本例では二つ）の発光部としての発光素子１２２１，１２２３と、一つの受光部としての受光素子１２２２とが、一列に並び配置されている。具体的には、少なくとも二つのセンサーエレメントを備えたセンサー１０２２（本例では、三つのセンサーエレメントとして、第１の発光部および第２の発光部としての二つの発光素子１２２１，１２２３と、受光部としての受光素子１２２２とを用いている）を有している。
【０１３９】
そして、第１の発光部および第２の発光部としての二つの発光素子１２２１，１２２３の間に受光部としての受光素子１２２２が配置されている。また、第１の発光部および第２の発光部としての二つの発光素子１２２１，１２２３は、受光部としての受光素子１２２２の中心を通る仮想線に対して線対称の位置に配置されている。発光素子１２２１，１２２３および受光素子１２２２を、このような配置とすることにより、デッドスペースが減少し、省スペース化を図ることができる。また、線対称位置にある第１の発光部、および第２の発光部を併せた光が受光部に集まり、より正確な検出を行うことができる。
【０１４０】
センサーエレメントは、センサー信号を検出する。センサー１０２２は、ユーザーの皮膚に対して発光するための二つのＬＥＤを用いた発光素子１２２１，１２２３から成る光学センサーと、皮膚から反射した光を受信するための少なくとも一つの受光素子１２２２（フォトダイオード）とを備えている。さらに、心拍数監視装置１０２０は、ケースまたはハウジング（図示せず）を有している。ケースまたはハウジングは、図１４に示されるケース１０１４と類似、あるいは同一でもよいし、上述の実施形態１におけるケース部１０と類似、あるいは同一でもよい。
【０１４１】
そして、センサー１０２２は、キャリア（基板）１０２６の一面に担持されている。ここで、キャリア（基板）１０２６と、キャリア（基板）１０２６上に担持されたセンサー１０２２とを含む構成が生体情報測定モジュールに該当する。なお、以下の実施形態３〜５においても同様である。発光素子１２２１，１２２３から射出された光は、皮膚などに吸収されずに反射され、受光素子１２２２に直接到達することができる。心拍数監視装置１０２０において、キャリア１０２６と発光素子１２２１，１２２３の上面１２２１ａ，１２２３ａとの間の距離は、キャリア１０２６と受光素子１２２２の上面１２２２ａとの間の距離より小さい。即ち、キャリア１０２６と発光素子１２２１，１２２３の上面１２２１ａ，１２２３ａとの間の距離と、キャリア１０２６と受光素子１２２２の上面１２２２ａとの間の距離との差が、Δｈである。そして、受光素子１２２２は、一番上の表層であるその上面１２２２ａから光を受信する。それらの構成によれば、発光素子１２２１，１２２３から射出された光の大部分は皮膚に向かい、反射光は、空気層などの介入なしに直接受光素子１２２２に入射される効果がある。換言すれば、受光素子１２２２が皮膚に密着する構造であるため、受光素子１２２２の上面（受光面）１２２２ａと皮膚との間に隙間が生じにくい構造とすることができ、これにより外光などのノイズ源となる光が上面１２２２ａに入射することを抑制することができる。また、皮膚を通過しない発光素子１２２１，１２２３からの光、例えば発光素子１２２１，１２２３から直接受光素子１２２２に入射する光は、受光素子１２２２の上面１２２２ａに到達することができない。
【０１４２】
（実施形態３）
次に、図１６を参照して実施形態３に係る生体情報測定機器としての心拍数監視装置１０３０について説明する。図１６は、実施形態３に係る生体情報測定機器としての心拍数監視装置を示す正面図である。なお、実施形態３に係る生体情報測定機器としての心拍数監視装置１０３０は、図１６では図示していないが、前述の実施形態１と同様に、バンドなどの固定部によって、ユーザーの腕に装着される。
【０１４３】
図１６に示すように、発光部としての発光素子１２２１，１２２３および受光部としての受光素子１２２２の電気的接続端子１０３４は、電気的要素の保護のために絶縁性材料（例えばエポキシ樹脂）１０３２で、好ましくは覆われていなければならない。また、絶縁性材料１０３２が発光素子１２２１，１２２３や受光素子１２２２を覆わないように構成することができる。具体的には、発光素子１２２１と受光素子１２２２との間の領域、発光素子１２２３と受光素子１２２２との間の領域を絶縁性材料１０３２で埋めるように構成することができる。換言すれば、少なくとも受光素子１２２２の上面１２２２ａ、発光素子１２２１，１２２３の上面１２２１ａ，１２２３ａが絶縁性材料１０３２に覆われないように構成することができる。このように構成することで、皮膚と発光素子１２２１，１２２３との間のエアギャップによる妨害を抑制することができる。さらに、絶縁性材料１０３２が発光素子１２２１，１２２３の上面１２２１ａ，１２２３ａや受光素子１２２２の上面１２２２ａを覆うように構成しても良い。このように構成することで、皮膚と接触する受光素子１２２２の上面１２２２ａや、発光素子１２２１，１２２３の上面１２２１ａ，１２２３ａを保護することができるので、受光素子１２２２の上面１２２２ａや、発光素子１２２１，１２２３の上面１２２１ａ，１２２３ａの損傷を防ぐことができる。この場合、絶縁性材料１０３２は保護膜とみなすこともできる。
【０１４４】
本実施形態３に係る生体情報測定機器としての心拍数監視装置１０３０では、一般に可能性がある実施例として、エポキシ樹脂を用いた絶縁性材料１０３２を設けている。図１６においては、絶縁性材料１０３２は、発光素子１２２１，１２２３の上面１２２１ａ，１２２３ａを覆うことなく配置され、電気的接続端子１０３４を保護する。発光素子１２２１，１２２３から射出されている光は、矢印にて表される。
【０１４５】
このように、絶縁性材料１０３２の配置は、心拍数監視装置１０３０の正しい機能を妨げない程度の最小限で行うことにより、発光素子１２２１，１２２３および受光素子１２２２の電気的接続端子１０３４を保護することで、この心拍数監視装置１０３０は更に改良されることができる。
【０１４６】
なお、本実施形態３におけるエポキシ樹脂を注入する構成に変えて、図１７に示すような実施形態４に係る生体情報測定機器としての心拍数監視装置１０４０とすることがさらに好適である。
【０１４７】
（実施形態４）
次に、実施形態４に係る生体情報測定機器としての心拍数監視装置１０４０について、図１７を参照して説明する。図１７は、実施形態４に係る生体情報測定機器としての心拍数監視装置を示す斜視図である。なお、実施形態４に係る生体情報測定機器としての心拍数監視装置１０４０は、図１７では図示していないが、前述の実施形態１と同様に、バンドなどの固定部によって、ユーザーの腕に装着される。
【０１４８】
実施形態４に係る生体情報測定機器としての心拍数監視装置１０４０は、作成されたフレーム１０４１，１０４２，１０４３が配置される。フレーム１０４１，１０４２，１０４３は、発光部としての発光素子１２２１，１２２３および受光部としての受光素子１２２２の周囲に配置され、フレーム１０４１，１０４２，１０４３と、発光素子１２２１，１２２３および受光素子１２２２との間の隙間１０３６が形成される。そして、フレーム１０４１，１０４２，１０４３をガイドとして絶縁性材料（図１７では図示されない）が注入され、発光素子１２２１，１２２３および受光素子１２２２の電気的接続端子１０３４を覆う。
【０１４９】
実施形態４に示す例では、発光素子１２２１，１２２３および受光素子１２２２は、個々のフレーム１０４１，１０４２，１０４３によって囲まれる。なお、他の例としては、すべてのフレーム１０４１，１０４２，１０４３は、互いに結合されてもよく、または、すべてのセンサーエレメントは一体のフレームによって囲まれてもよい。なお、フレーム１０４１，１０４２，１０４３を遮光部の一例としての遮光壁（壁部）として用いることができる。フレーム１０４１，１０４２，１０４３を遮光壁（壁部）として用いることにより、発光素子１２２１，１２２３から射出された光が、直接受光素子１２２２に入ることを防止することができる。
【０１５０】
心拍数監視装置１０４０の機能に影響を及ぼさないための改善点として、発光素子１２２１，１２２３のまわりのフレーム１０４１，１０４３の上部エッジ１０４１ａ，１０４３ａは、好ましくは発光素子１２２１，１２２３の上面１２２１ａ，１２２３ａより低いことが好ましい。換言すれば、個別のフレーム１０４１，１０４３の上部エッジ１０４１ａ，１０４３ａとキャリア１０２６との距離ｈＦＲ−ＬＥＤは、個別のフレーム１０４１，１０４３で囲まれている発光素子１２２１，１２２３の上面１２２１ａ，１２２３ａとキャリア１０２６との距離ｈＬＥＤと、同じか小さい（ｈＦＲ−ＬＥＤ≦ｈＬＥＤ）。
好ましくは、発光素子１２２１，１２２３の上面１２２１ａ，１２２３ａとキャリア１０２６との距離ｈＬＥＤと、フレーム１０４１，１０４３の上部エッジ１０４１ａ，１０４３ａとキャリア１０２６との距離ｈＦＲ−ＬＥＤとの差は、０．１ｍｍから０．８ｍｍの範囲に設定する。なお、さらに好ましくは、発光素子１２２１，１２２３の上面１２２１ａ，１２２３ａとキャリア１０２６との距離ｈＬＥＤと、フレーム１０４１，１０４３の上部エッジ１０４１ａ，１０４３ａとキャリア１０２６との距離ｈＦＲ−ＬＥＤとの差は、０．２ｍｍから０．５ｍｍの範囲に設定する。
【０１５１】
また、受光素子１２２２のまわりのフレーム（レシーバーフレーム）１０４２の上部エッジ１０４２ａは、好ましくは受光素子１２２２の上面１２２２ａより高いことが好ましい。換言すれば、フレーム１０４２の上部エッジ１０４２ａとキャリア１０２６との距離ｈＦＲ−ＰＤは、フレーム１０４２で囲まれている受光素子１２２２の上面１２２２ａとキャリア１０２６との距離ｈＰＤより大きい（ｈＦＲ−ＰＤ＞ｈＰＤ）。
好ましくは、受光素子１２２２の上面１２２２ａとキャリア１０２６との距離ｈＰＤと、フレーム１０４２の上部エッジ１０４２ａとキャリア１０２６との距離ｈＦＲ−ＰＤの差は、０ｍｍから０．５ｍｍの範囲に設定する。なお、さらに好ましくは、受光素子１２２２の上面１２２２ａとキャリア１０２６との距離ｈＰＤと、フレーム１０４２の上部エッジ１０４２ａとキャリア１０２６との距離ｈＦＲ−ＰＤの差は、０．１ｍｍから０．２ｍｍの範囲に設定する。
さらに、フレーム１０４２の上部エッジ１０４２ａとキャリア１０２６との距離ｈＦＲ−ＰＤは、発光素子１２２１，１２２３の上面１２２１ａ，１２２３ａとキャリア１０２６との距離ｈＬＥＤよりも大きい（ｈＦＲ−ＰＤ＞ｈＬＥＤ）。
【０１５２】
なお、例えば、受光素子１２２２および発光素子１２２１，１２２３が間近である場合、受光素子１２２２と発光素子１２２１，１２２３との間に、１枚のフレーム壁だけが存在する構成であってもよい。これは、製造容易性の理由で発生する場合がある。その１枚のフレーム壁がケースである場合、受光素子１２２２および発光素子１２２１，１２２３で両方のフレームのフレーム壁は一致する。これは、発光素子１２２１，１２２３のフレーム壁がより高くなることを意味する、詳述すると、発光素子１２２１，１２２３を囲むフレーム１０４１，１０４３の内の、受光素子１２２２がある側のフレーム壁が高くなり、他のフレーム壁は発光素子１２２１，１２２３の上面１２２１ａ，１２２３ａより低くなる。
さらに、フレーム１０４１，１０４２，１０４３に代えて、受光素子１２２２と発光素子１２２１、あるいは発光素子１２２３との間に第１の壁部を設け、発光素子１２２１，１２２３の外側、つまり受光素子１２２２に対して第１の壁部とは反対側に第２の壁部を設けるように構成しても良い。
このように構成した場合、キャリア１０２６と第１の壁部の上面との距離は、キャリア１０２６と第２の壁部の上面との距離よりも大きくなるように構成しても良い。このように構成することで、図１７のように発光素子や受光素子を囲うように構成した場合に比べ、より少ない部材でフレームの機能を実現することができる。
【０１５３】
なお、本実施形態４のようにフレーム１０４１，１０４３やフレーム１０４２を用いることにより、注入されるエポキシ樹脂などの絶縁性材料が流れ出すことを防ぐことができる。またこのように、追加構造を作成してエポキシ樹脂などの絶縁性材料を区切ることは、高い量産性を可能にするオプションである。なお、フレーム１０４１，１０４３やフレーム１０４２は、キャリア１０２６と同じ材料によって構成されても良い。例えばエポキシ系樹脂やポリカーボネート系樹脂を用いて射出成型でフレームが形成されても良い。
【０１５４】
前述したように、絶縁性材料１０３２（図１６参照）は、センサーエレメント（発光素子１２２１，１２２３および受光素子１２２２）の電気的接続端子１０３４を保護する。しかしながら、これらの電気的接続端子１０３４は他の要素である追加電子機器（例えばドライバー、検出エレクトロニクス、プロセッサーまたは電源）と、さらに接触しなければならない。そして、キャリア１０２６（プリント基板（ＰＣＢ）でもよい）に、これらの追加電子機器とのなんらかの電気接続があることを意味する。また、本実施形態に係る心拍数監視装置の構造は、心拍数のみならず、脈波、脈拍の計測装置にも適用できる。
【０１５５】
（実施形態５）
図１８を参照して、実施形態５に係る生体情報測定機器としての心拍数監視装置１０５０を説明する。図１８は、実施形態５に係る生体情報測定機器としての心拍数監視装置を示す断面図である。なお、実施形態５に係る生体情報測定機器としての心拍数監視装置１０５０は、図１８では図示していないが、前述の実施形態１と同様に、バンドなどの固定部によって、ユーザーの腕に装着される。
【０１５６】
実施形態５に係る生体情報測定機器としての心拍数監視装置１０５０は、前述した追加電子機器（例えばプロセッサー１０５２およびドライバー１０５４）を備えている。外部電気接続端子（図示せず）は、センサーエレメント（発光部としての発光素子１２２１および受光部としての受光素子１２２２）と同じキャリア１０２６に配置されない。つまり、追加電子機器は、センサーエレメントとは別のキャリアあるいは基板に配置されている。このように構成することで、皮膚とセンサーエレメント（発光素子１２２１および受光素子１２２２）との良好な接触を維持しつつ、必要な追加電子機器を心拍数監視装置１０５０に搭載することができる。例えば、外部電気接続端子は、キャリア１０２６の側面に配置されることができる。
【０１５７】
上述したように、異なる種類のセンサーが、本発明に係る生体情報測定機器において用いられることが可能である。例えば、上述の受光素子１２２２が電気センサーである場合は、ユーザーの皮膚に接触して、ユーザーの伝導率を測定するための２本の皮膚コンダクタンス電極（例えば、センサーエレメント（図１５に示される発光素子１２２１、受光素子１２２２））は、皮膚でおおわれる。なお、さらなる、二つ以上の種類のセンサーが、この種の生体情報測定機器において、用いられることが可能である、さらに、センサーエレメントの数は問わない。
【０１５８】
実施形態２〜５において、提唱される生理的パラメーターを測定する生体情報測定機器を製造する方法のフローチャートは、図１９において示される。
第１ステップＳ１において、センサー信号を検出するための少なくとも二つのセンサーエレメント（発光素子１２２１および受光素子１２２２）から成るセンサー１０２２は、キャリア１０２６上に配置される。第２ステップＳ２において、上記センサーエレメントの電気的接触をキャリア１０２６に形成する。第３ステップＳ３において、一つ以上のフレーム１０４１，１０４２は、センサー１０２２および／または個々のセンサーエレメント（発光素子１２２１および受光素子１２２２）周辺で、キャリア１０２６の上に形成される。第４ステップＳ４において、キャリア１０２６に備えられているセンサーエレメント（発光素子１２２１および受光素子１２２２）の上面１２２１ａ，１２２２ａを覆わない、それぞれのフレーム１０４１，１０４２によって囲まれる領域に絶縁性材料１０３２が注入され満たされる。
【０１５９】
上記実施形態２〜５によれば、生体情報測定機器の性能に負の影響を及ぼすことのない電気的接触の保護を成し遂げる方法が提案される。そして、センサーの性能を保つような方法で形成される。例えば、これらのフレーム１０４１，１０４３の少なくとも一つは、皮膚に対するセンサーの位置がシフトすることを防ぐ。さらに、これらのフレーム１０４１，１０４３の少なくとも一つは、射出された直射的な光が受光素子１２２２に入射するのを防止するのに役立つことができる。好ましくは、受光素子１２２２の向きになっている側の、発光素子１２２１，１２２３のまわりのフレーム１０４１，１０４３の高さは、発光素子１２２１，１２２３の上面１２２１ａ，１２２３ａの高さより小さくなければならない。加えて、受光素子１２２２のまわりのフレーム１０４２は、受光素子１２２２の上面１２２２ａより高くてもよい。
【０１６０】
上述した実施形態２〜５に係る生体情報測定機器においても、実施形態１で説明した検出部１８、およびバンド２０の凸部などの構成を適用することができる。このような構成とすることにより、実施形態１と同様な効果を得ることができる。
【０１６１】
（実施形態６）
上述した実施形態１〜５の生体情報測定機器は、ひずみ計、温度計、体温計、加速度センサー、ジャイロセンサー、圧電センサー、気圧センサー、血圧計、電気化学的センサー、ＧＰＳ（Global Positioning System）、振動計、等の各種センサーを備えていてもよい。これらのセンサーを備えることで、心拍、脈拍、拍動間の変異、ＥＫＧ（ElektroKardiogram：心電図）、ＥＣＧ（Electrocardiogram：心電図）、呼吸数、皮膚温度、体温、体の熱流、電気皮膚反応、ＧＳＲ（Galvanic skin reflex：皮膚電気反射）、ＥＭＧ（Electromyogram：筋電図）、ＥＥＧ（electroencephalogram：脳電図）、ＥＯＧ（Electrooculography：眼球電図）、血圧、体脂肪、水分補給レベル、活動レベル、体動、酸素消費量、グルコース、血糖値、筋肉量、筋肉にかかる圧力、骨にかかる圧力、紫外線吸収、睡眠状態、体調、ストレス状態、体位（例えば、横臥、直立、座位、等）等の、１または１以上の生理学的パラメーターを示すデータに基づいて、個人の生理学的状態に関する情報を導出することができる。また、これらの各種センサーによって得られた値を、例えば、スマートフォン、携帯電話機、フィーチャーフォン等の携帯型通信端末やコンピューターやタブレット型コンピューター等の情報処理端末に送信して、携帯型通信端末や情報処理端末にて生理学的パラメーターの演算処理を実行してもよい。
【０１６２】
ユーザーは、生体情報を測定する前に、生体情報測定機器、携帯型通信端末、もしくは情報処理端末にユーザー自身のプロフィールを入力する。これによりユーザーは、そのプロフィールと生体情報測定結果とに基づき、推奨される健康なライフスタイルを確立し維持する可能性を最大にするために、対処が必要となるユーザーの特異な特性情報、環境情報の提供を受けることができる。提供される情報としては、運動種別、運動強度、運動時間、等のような運動情報、食事時間、食事の量、推奨される摂取食材や摂取メニュー、避けるべき摂取食材や摂取メニュー、等のような食事情報、睡眠時間、睡眠の深さ、睡眠の質、起床時間、着床時間、就労時間、ストレス情報、消費カロリー、摂取カロリー、カロリー収支、等のような生活支援情報、基礎代謝、体脂肪量、体脂肪率、筋肉量、等のような身体情報、投薬情報、サプリメント摂取情報、医療情報、等の一つもしくは複数が挙げられる。
【０１６３】
事前に入力するユーザー自身のプロフィールとしては、例えば、年齢、生年月日、性別、趣味、職種、血液型、過去のスポーツ歴、活動レベル、食事、睡眠の規則性、排便習慣の規則性、状況適応性、持続性、応答性、反応の強さ、性質等のユーザーの性格、ユーザーの自主独立レベル、自立形成、自己管理、社交性、記憶力および学問的成就能力、ユーザーの覚醒レベル、認知速度、注意力疎外要因の回避能力、覚醒状態および自己監督能力を含むユーザーの注意力、注意持続能力、体重、身長、血圧、ユーザーの健康状態、医者による診察結果、医者による診察日、医者や健康管理者との接触の有無、現在服用中の薬剤およびサプリメント、アレルギーの有無、アレルギー歴、現在のアレルギー症状、健康に関連する挙動の所見、ユーザーの病気歴、ユーザーの手術歴、家族歴、個人による調整を必要とした離婚または失業のような社会的事象、ユーザーの健康優先度に関する所信、価値観、振舞いを変える能力、生活のストレス原因と考えられる事象、ストレス管理方法、ユーザーの自己意識度、ユーザーの感情移入度、ユーザーの権限委譲度、ユーザーの自尊心、ユーザーの運動、睡眠状態、弛緩状態、毎日の活動の現在のルーチン、ユーザーの生活における重要な人物（例えば、配偶者、友人、同僚または上司）の性格、重要な人物の関係において健康なライフスタイルを阻害するまたはストレスに寄与する衝突が存在するか否かについてのユーザーの受け止め方、等の一つもしくは複数が挙げられる。
【０１６４】
ここで、推奨される健康的なライフスタイルを確立し維持する可能性を最大にするために、対処が必要となるユーザーの特異な特性情報、環境情報の提供を受けることができる実施形態６に係る生体情報測定機器について、図２０〜図２６を用いて説明する。図２０は、実施形態６の生体情報測定機器におけるヘルスマネージャーの起点となるウェブページの概略を示す図である。図２１は、栄養ウェブページの一例を示す図であり、図２２は、活動レベルウェブページの一例を示す図である。また、図２３は、精神集中ウェブページの一例を示す図であり、図２４は、睡眠ウェブページの一例を示す図である。また、図２５は、毎日の活動ウェブページの一例を示す図であり、図２６は、健康度ウェブページの一例を示す図である。
【０１６５】
実施形態６に係る生体情報測定機器は、図示しないが、例えばマイクロプロセッサーに接続されたセンサー装置を備えている。そして、実施形態６に係る生体情報測定機器では、最終的にモニターユニットへ送られて保存される種々の生活活動に関するデータや、モニターユニットにより維持されるウェブサイトからユーザーによって入力される個人データもしくは生活情報が、マイクロプロセッサーによって処理され、生体情報として提供される。以下に、具体的な一例を示し説明する。
【０１６６】
ユーザーは、ウェブページ、アプリケーションソフト、その他の通信媒体を介して、そのユーザーのためのヘルスマネージャーにアクセスする。図２０は、一例として、ヘルスマネージャーの起点となるウェブページ５５０を示す。図２０に示すヘルスマネージャーのウェブページ５５０では、多様なデータをユーザーへ提供する。このようにして提供されるデータは、例えば、（１）種々のセンサー装置が測定した値に基づく種々の生理学的パラメーターを示すデータ、（２）種々の生理学的パラメーターを示すデータから導出されるデータ、（３）センサー装置により発生される種々のコンテキストパラメーターを示すデータおよびユーザーが入力するデータのうちの、１つまたはそれ以上である。
【０１６７】
分析状態データは、（１）センサー装置が取得する種々の生理学的パラメーターを示すデータ、（２）種々の生理学的パラメーターから導出されるデータ、（３）センサー装置が取得する種々のコンテキストパラメーターを示すデータおよびユーザーが入力するデータのうちの１つまたはそれ以上を計算により求める健康度、（４）壮健度およびライフスタイル指数などに変換するために、ある特定のユーティリティーまたはアルゴリズムを利用する点に特徴がある。例えば、摂取した食料に関連してユーザーが入力するデータに基づきカロリー、たんぱく質、脂肪、炭水化物およびある特定のビタミンの量のようなものを計算することができる。また、別の例として、皮膚温度、心拍数、呼吸数、熱流および／またはＧＳＲを用いることにより、所望の時間にわたるストレスレベルの指数をユーザーに提供することができる。さらに別の例として、皮膚温度、熱流、拍動間変異、心拍数、脈拍、呼吸数、中心部体温、電気皮膚反応、ＥＭＧ、ＥＥＧ、ＥＯＧ、血圧、酸素消費量、周囲の音および加速度計のような装置で検出される体の動きを用いることにより、所望の時間にわたる睡眠パターンの指数をユーザーに提供することができる。
【０１６８】
図２０に示すウェブページ５５０には、健康度としての健康指標５５５が表示されている。この健康指標５５５は、ユーザーの成績および推奨される健康な日課を達成した度合いを測定し、それらをメンバーユーザーにフィードバックするためのグラフィックなユーティリティーである。このように、健康指標５５５は、メンバーユーザーに対して彼らの健康状態や健康維持に関する行動の進捗状況を示す。健康指標５５５は、ユーザーの健康およびライフスタイルに関する６つのカテゴリー、即ち、栄養、活動レベル、精神集中、睡眠、毎日の活動、および元気度（総合的な所感）を含む。「栄養」のカテゴリーは、その人（ユーザー）が何を、いつ、そしてどのくらい食べて飲んだかの情報に関する。「活動レベル」のカテゴリーは、その人がどのくらい動き回るかの運動量に関する。「精神集中」のカテゴリーは、その人（ユーザー）の精神が高度に集中した状態で弛緩状態となるための活動の質（能力）、およびその人がその活動に集中する時間に関する。「睡眠」のカテゴリーは、その人（ユーザー）の睡眠の質、および量に関する。「毎日の活動」のカテゴリーは、その人（ユーザー）が毎日行わなければならないこと、およびその人が遭遇する健康リスクに関する。「元気度（所感）」のカテゴリーは、ある特定の日について気分がよいか否かの一般的な受け止め方に関する。各カテゴリーには、好ましくは、「悪い」から「よい」の間で変化するスケールで、ユーザーがそのカテゴリーに関してどのような実績をあげたかを示すレベル表示または棒グラフを備えている。
【０１６９】
各メンバーユーザーが上述した最初の調査を終了すると、ユーザーに対して、自身の特性、および生活環境の要約を提供するプロフィールが作成され、推奨される健康的な日課および／または目標が提示される。推奨される健康的な日課には、適当な栄養、運動、精神集中、およびユーザーの毎日の活動（生活）に関する特定のアドバイス、における任意の組み合わせが含まれる。これら推奨される健康的な日課に係る活動をユーザーの生活に如何に取り込むかのガイドとして、模範的なスケジュールなどを提示してもよい。ユーザーはその調査を定期的に受け、その結果に基づき、上述したような項目をそれに応じて実践する。
【０１７０】
「栄養」のカテゴリーは、ユーザーが入力するデータと、センサー装置が感知するデータとの両方から計算される。ユーザーが入力するデータには、朝食、昼食、夕食、および任意のおやつの時刻や飲食時間と、飲食する食料、ビタミンのようなサプリメントおよび予め選択した時間の間に飲む水や他の液体（飲料水や液体状の食料）とが含まれる。このデータや種々の食料の公知の特性に関する蓄積されたデータに基づき、中央モニターユニットは、消費カロリー、またはたんぱく質、脂肪、炭水化物、ビタミンなどの含有量のような、よく知られた栄養学的な値を計算する。
【０１７１】
「栄養」のカテゴリーにおいては、健康指標５５５の栄養を示す棒グラフに基づいて、推奨される健康的な日課に関して決定することができる。この推奨される健康的な日課は、ユーザーの性別、年齢、身長／体重のような情報に基づき調整することができる。なお、毎日摂取するカロリーやたんぱく質、繊維、脂肪、炭水化物などの栄養素や水の量、および全体の摂取量に対する割合に関するある特定の栄養の目標を、ユーザー、またはユーザーに代わって代理者が設定することができる。棒グラフの計算に用いるパラメーターには、１日の食事回数、水の消費量、毎日食べる食物の種類、および量をユーザーが入力したものが含まれる。
【０１７２】
栄養学的情報は、図２１に示すような栄養ウェブページ５６０によりユーザーに提示される。栄養ウェブページ５６０は、栄養の実際および目標となる数値をそれぞれ円グラフで示す栄養数値チャート５６５，５７０と、実際の栄養摂取総量および目標となる栄養摂取総量をそれぞれ示す栄養摂取チャート５７５，５８０を含むことが好ましい。栄養数値チャート５６５，５７０は、炭水化物、たんぱく質および脂肪のような項目を百分比で示すのが好ましく、栄養摂取チャート５７５，５８０は、カロリーの合計値および目標値を、脂肪、炭水化物、たんぱく質およびビタミンのような成分で分けて示すのが好ましい。栄養ウェブページ５６０は、食物および水を消費した時間を示す履歴５８５、ユーザーが栄養に関連するニュース記事、栄養に関する日課を改善するためのアドバイス、およびネットワーク上のどこかの関連の広告を直接チェックできるようにするハイパーリンク５９０、および適用期間などを選択可能なカレンダー５９５も含む。ハイパーリンク５９０で示す項目は、調査により個人について知り得た情報、および健康指標により測定された個人の成績に基づいて選択することができる。
【０１７３】
健康指標５５５の「活動レベル」のカテゴリーは、その日にユーザーが、いつ、どのように活動したか（動いたか）などに関するユーザーのチェックを、支援するように設計されており、ユーザーが入力するデータと、センサー装置が感知するデータとの両方を利用する。ユーザーが入力するデータには、例えば、ユーザーが午前８時から午後５時まで机に向かって仕事をした後、午後６時から午後７時までエアロビクス講習を受けるというようなユーザーの毎日の活動に関する詳細事項が含まれる。センサー装置により感知される関連のデータには、心拍数、加速度計のような装置により感知される運動、熱流、呼吸数、消費カロリー量、ＧＳＲ、および水分補給レベルが含まれ、これらはセンサー装置または中央モニターユニットにより取り出すことができる。消費カロリー量は、ユーザーが入力する運動の種類とユーザーが入力する運動の持続時間との掛け算、感知する運動と運動の時間およびフィルター定数との掛け算、または感知される熱流と時間とフィルター定数との掛け算のような種々の方法で計算することができる。
【０１７４】
「活動レベル」のカテゴリーでは、健康指標５５５の活動レベルを示す棒グラフに基づいて、推奨される健康的な日課に関して決定することができる。この推奨される健康的な日課は、活動において消費される最小目標カロリーなどである。なお、最小目標カロリーは、ユーザーの性別、年齢、身長、体重のような情報に基づき設定可能である。棒グラフの計算に用いるパラメーターには、各種の運動または精力的なライフスタイル活動に費やす時間であって、ユーザーが入力したものおよび／またはセンサー装置が感知したものや予め計算したエネルギー消費パラメーター以上に燃焼したカロリー数が含まれる。
【０１７５】
個人ユーザーの活動（動き）に関する情報は、図２２に示す活動レベルウェブページ６００によりユーザーに提示される。この活動レベルウェブページ６００は、ユーザーの活動を３つのカテゴリー、即ち、所定の単位時間に関して「高」、「中」、「低」でモニターする棒グラフの形をした活動度グラフ６０５を含む。円グラフの形の活動百分比チャート６１０は、ユーザーが各カテゴリーで費やした、例えば１日のような所定の期間の百分比を示すために提示することができる。また、活動レベルウェブページ６００は、燃焼カロリー総量、毎日の燃焼カロリー目標値、カロリー摂取合計値、およびエアロビクス運動時間のような項目を表示するためのカロリー表示（図示せず）を設けることもできる。活動レベルウェブページ６００は、ユーザーが、関連のニュース記事、活動レベルに関する日課を改善するためのアドバイス、およびネットワーク上の関連広告を直接チェックできるようにするため、少なくとも１つのハイパーリンク６２０を含む。
【０１７６】
活動レベルウェブページ６００は種々のフォーマットで見ることができるが、棒グラフ、円グラフ、およびその両方のようなグラフまたはチャートをユーザーが選択可能とすることができ、活動レベルチェックボックス６２５により選択可能である。活動レベルカレンダー６３０は、適用期間などを選択できるようにするために提供される。ハイパーリンク６２０に示す項目は、調査によりその個人から抽出した情報および健康指標により測定される成績に基づき選択することができる。
【０１７７】
健康指標５５５の「精神集中」のカテゴリーは、ユーザーが、精神を集中しながら深い弛緩状態に体が到達できるようにする活動を行う時間に関するパラメーターを、モニターすることを支援するように設計されており、ユーザーが入力するデータとセンサー装置が感知するデータとの両方に基づくものである。詳説すると、ユーザーはヨガまたは瞑想のような弛緩活動の開始時間および終了時間を入力することができる。精神集中の深さにより決まるこれらの活動の品質は、センサー装置により感知される皮膚温度、心拍数、呼吸数および熱流を含むパラメーターをモニターすることにより測定可能である。センサー装置または中央モニターユニットの何れかにより得られるＧＳＲの百分比変化を利用することもできる。
【０１７８】
「精神集中」のカテゴリーにおいては、健康指標５５５の精神集中の活動レベルを示す棒グラフに基づいて、推奨される健康的な日課に関して決定することができる。この推奨される健康的な日課は、精神を高度に集中した状態にしながら体を深く弛緩させる活動への毎日の参加が含まれて表示される。この棒グラフの計算に使用するパラメーターには、精神集中活動に費やす時間の長さ、および精神集中活動の深さ、または品質を示すベースラインからの、センサー装置により感知される皮膚温度、心拍数、呼吸数、熱流またはＧＳＲの百分比変化が含まれる。
【０１７９】
深く自己を顧みる行動（内省）、および体を深く弛緩させるなどの精神集中活動のために費やす時間に関する情報は、図２３に示す精神集中ウェブページ６５０によりユーザーに提示される。なお、精神集中活動は、セッションと呼ばれることがある。精神集中ウェブページ６５０は、セッションに費やした時間６５５、目標時間６６０、精神集中の深さの目標値および実際の値を示す比較部分６６５、皮膚温度、心拍数、呼吸数、熱流および／またはＧＳＲのようなものから導出される全体的なストレスレベルを示すヒストグラム６７０を含む。
【０１８０】
比較部分６６５では、目標となる精神集中状態を示す人間の輪郭は実線で示され、実際の精神集中状態を示す人間の輪郭は、精神集中のレベルに応じてぼやけた状態（図２３では破線で表す）と実線の間で変化する。また、好ましい精神集中ウェブページ６５０は、ユーザーが関連のニュース記事、精神集中に関する日課の改善に関するアドバイス、およびネットワーク上の関連広告を直接チェックできるようにするハイパーリンク６８０、精神集中に関する日課の改善に関するアドバイスおよび関連の広告と、適用期間を選択可能にするカレンダー６８５とを含む。ハイパーリンク６８０で示す項目は、調査により個人から知り得た情報および健康指標により測定される成績に基づき選択することができる。
【０１８１】
健康指標５５５の「睡眠」のカテゴリーは、ユーザーが睡眠パターンおよび睡眠の質をモニターすることを支援できるように設計されている。このカテゴリーは、ユーザーが健康なライフスタイルにおける睡眠の重要性と、体の機能の毎日の通常の変化である日周期に対する睡眠の関係と、についての学習を助けるように意図されている。「睡眠」のカテゴリーは、ユーザーが入力するデータとセンサー装置が感知するデータとの両方に基づくものである。関連の各時間インターバルの間にユーザーが入力するデータには、ユーザーの入眠時刻と起床時刻（睡眠時間）および睡眠の質のランクが含まれる。センサー装置から得られる関連性のあるデータには、皮膚温度（体温）、熱流、拍動間変異、心拍数、脈拍数、呼吸数、中心部体温、電気皮膚反応、ＥＭＧ、ＥＥＧ、ＥＯＧ、血圧および酸素消費量が含まれる。また、周囲の音および加速度計のような装置により検知される体の動きも関連性を有する。その後、このデータを用いて、入眠時刻および起床時刻、睡眠中断および睡眠の質、および睡眠の深さなどについて計算し導出することができる。
【０１８２】
健康指標５５５の睡眠を示す棒グラフは、毎晩の好ましい最小睡眠時間の確保、予測可能な就寝時刻、および起床時刻を含む健康な日課について表示される。この棒グラフの計算を可能にする特定のパラメーターには、センサー装置により感知されるかユーザーが入力する毎日の睡眠時刻および起床時刻と、ユーザーが等級をつけるかまたは他のデータから導出される睡眠の質が含まれる。
【０１８３】
睡眠に関する情報は、図２４に示す睡眠ウェブページ６９０によりユーザーに提示される。睡眠ウェブページ６９０は、センサー装置からのデータまたはユーザーが入力するデータの何れかに基づく睡眠時間表示６９５と、ユーザーの就寝時刻表示７００、および起床時刻表示７０５を含む。なお、ユーザーにより入力される睡眠の質について、睡眠の質ランク７１０を利用し表示することも可能である。また、１日の時間インターバルを超える表示を睡眠ウェブページ６９０において行う場合、睡眠時間表示６９５は累計値として表示し、就寝時刻表示７００、起床時刻表示７０５、および睡眠の質ランク７１０は平均値として計算し、表示することができる。また、睡眠ウェブページ６９０は、所定の時間インターバルにわたって１つの睡眠関連パラメーターを計算し表示するユーザーにより選択可能な睡眠グラフ７１５も含む。図２４は、１日にわたる熱流（体温）の変化を示すが、この熱流は、睡眠中は低く、起きている時は高くなる傾向がある。この情報から、その人のバイオリズムを得ることが可能である。
【０１８４】
また、睡眠グラフ７１５は、体の動きをモニターするセンサー装置に組み込んだ加速度計からのデータをグラフ表示する。また、睡眠ウェブページ６９０は、ユーザーが睡眠に関連するニュース記事、睡眠に関する日課を改善するためのアドバイス、およびネットワーク上にある関連の広告を直接チェックできるようにするハイパーリンク７２０と、関連の時間インターバルを選択するための睡眠カレンダー７２５とを含むことができる。ハイパーリンク７２０で示す項目は、調査において個人から知り得た情報、および健康指標により測定される成績に基づき特別に選択することができる。
【０１８５】
健康指標５５５の「毎日の活動」のカテゴリーは、健康や安全に関連するある特定の活動、およびリスクをユーザーがモニターすることを支援できるように設計されており、すべてユーザーにより入力されるデータに基づくものである。毎日の生活の活動に関する「毎日の活動」のカテゴリーは、下位概念の４つのカテゴリーが挙げられる。具体的には、（１）歯ブラシまたはフロスを用いる歯の手入れやシャワーを浴びるような活動をユーザーがモニターするのを可能にする個人的衛生に係る項目、（２）ユーザーが処方箋通りの薬またはサプリメントを飲んでいるか否かを追跡し、煙草またはアルコールの消費量などをユーザーがモニターするのを可能にする健康維持に係る項目、（３）家族または友人と共に過ごす時間やレジャーおよび精神集中活動をユーザーがモニターするのを可能にする個人的時間に係る項目、（４）家庭の雑用のような仕事および家計活動をユーザーがモニターするのを可能にする責任に係る項目、に分けられる。
【０１８６】
「毎日の活動」のカテゴリーにおいて、健康指標５５５の「毎日の活動」を示す棒グラフは、以下に述べる推奨される健康的な日課について表示することが好ましい。個人の衛生に関する日課の一例としては、ユーザーが毎日シャワーを浴びるか入浴し、毎日ブラシとフロスを用いて歯を清潔に保ち、規則的な便通を維持することが望ましい。また、健康維持に関する日課の一例としては、ユーザーが薬、ビタミン剤および／またはサプリメントを飲み、禁煙し、節酒し、健康マネージャーにより毎日、健康をモニターすることが望ましい。個人的時間に関する日課の一例としては、ユーザーが毎日少なくとも所定時間は家族と過ごす時間を創出し、および／または友人と良質な時間を過ごし、仕事を行う時間を減らし、レジャーまたは遊びの時間を取り入れ、頭を使う活動を行うことが望ましい。責任に関する日課の一例としては、ユーザーが家の雑事を行い、仕事に遅れず、約束を守ることが望ましい。棒グラフは、ユーザーが入力する情報により決定される、および／またはユーザーが毎日リストアップされた活動を完了する度合いに基づき計算される。
【０１８７】
これらの活動に関する情報は、図２５に示す毎日の活動ウェブページ７３０によりユーザーに提示される。毎日の活動ウェブページ７３０における活動チャート７３５は、ユーザーがその日課により必要とされることを実行したか否かを示す。活動チャート７３５は、下位概念のうちの１つまたはそれ以上について選択可能である。活動チャート７３５では、色または影がついたボックスは、必要とされる活動をユーザーが実行したことを示し、色または影のないボックスは、その活動をユーザーが実行していないことを示している。活動チャート７３５は、選択可能な時間インターバルにおいて作成し、見ることが可能である。図２５は、特定の週における個人的衛生および個人的時間のカテゴリーを一例として示している。さらに、毎日の活動ウェブページ７３０は、ユーザーが関連のあるニュース記事、毎日の生活の活動に関する日課を改善するためのアドバイス、およびネットワーク上の関連の広告を直接チェックできるようにするハイパーリンク７４０と、関連の時間インターバルを選択するための毎日の活動のカレンダー７４５とを含むことができる。ハイパーリンク７４０に示す項目は、調査において個人から知り得た情報、および健康指標により決定される成績に基づき選択することができる。
【０１８８】
健康指標５５５の「元気度」のカテゴリーは、特定の日に元気であったか否かの認識をユーザーがモニターするのを可能にするように設計され、ユーザーが直接入力する本質的に主観的な等級情報に基づくものである。ユーザーは、以下の９つの領域、即ち、（１）精神的鋭敏さ、（２）精神的および心理的幸福度、（３）エネルギーレベル、（４）人生のストレスへの対処能力、（５）対面を重んじる度合い、（６）物理的幸福度、（７）自己抑制、（８）動機、（９）他人との関係による慰め、に関して、好ましくは１から５までのスケールを用いてランク付けを行う。これらの度合い（等級）を平均して、健康指標５５５の棒グラフの計算に使用する。
【０１８９】
図２６は、元気度のウェブページ７５０を示す。元気度のウェブページ７５０は、連続または不連続の任意の日にちを含む、ユーザーが選択可能な時間インターバルにわたる元気度を、ユーザーがチェックできるようにする。なお、図２６で示す例では、元気度を健康指数として表示している。元気度のウェブページ７５０では、元気度の選択ボックス７６０を用いることにより、ユーザーは、１つのカテゴリーについて元気度の棒グラフ７５５をチェックする選択を行うか、または２つのカテゴリー、またはそれ以上のカテゴリーについて元気度の棒グラフ７５５を並べて比較することができる。例えば、ユーザーは、前月と比べて総合的な睡眠の等級が改善されたか否かをチェックするために、睡眠の棒グラフだけを作動状態にしたい場合があるあるいは、睡眠と活動レベルとを同時に表示することにより、睡眠の等級とそれに対応する活動レベルの等級とを比較評価して、それぞれの日にちの間に何らかの相関関係が存在するか否かをチェックする場合がある。所定の時間インターバルについて栄養の等級と元気度の等級とを表示して、毎日の食事習慣とそのインターバルの間の食事習慣と元気度との間に何らかの相関関係が存在するか否かをチェックする場合がある。図２６は、説明のための一例として、６月８日から６月１４日の週の睡眠と活動レベルの棒グラフによる比較を示す。また、元気度のウェブページ７５０は、ユーザーがログインしてヘルスマネージャーを利用した日数の合計、ユーザーが入会以来ヘルスマネージャーを利用した日にちの割合、およびユーザーがデータを収集するためにセンサー装置を利用した時間の割合のようなアクセス情報、および統計を表示する追跡計算器７６５も含む。
【０１９０】
図２０に示すヘルスマネージャーの起点となるウェブページ５５０の一例は、それぞれが健康度としての健康指標５５５のカテゴリーに対応するユーザーにより選択可能な複数のカテゴリーの要約５５６ａないし５５６ｆを含む。各カテゴリーの要約５５６ａないし５５６ｆは、対応するカテゴリーに関して予め選択しフィルターをかけたデータの副集合を提示する。栄養カテゴリーの要約５５６ａは、カロリー摂取量の毎日の目標値と実際値とを示す。活動レベルカテゴリーの要約５５６ｂは、燃焼カロリー量の毎日の目標値と実際値とを示す。精神集中カテゴリーの要約５５６ｃは、精神集中の深さの目標値および実際値を示す。睡眠カテゴリーの要約５５６ｄは、目標の睡眠時間、実際の睡眠時間、および睡眠の質の等級を示す。毎日の活動カテゴリーの要約５５６ｅは、推奨される健康的な日課（毎日の活動）に対する完了した活動の割合に基づく目標点数および実際点数を表示する。元気度のカテゴリーの要約５５６ｆは、その日の健康度の目標および実際の等級を示す。
【０１９１】
また、ウェブページ５５０は、ニュース記事へのハイパーリンク（不図示）、最初の調査によりチェックされる栄養不良のような傾向に基づくユーザーへのコメント（不図示）、および合図（不図示）を含むこともできる。情報を毎日ユーザーに提供する毎日の日課部分５５７を含むこともできる。毎日の日課部分５５７のコメントとしては、例えば、毎日必要となる水の摂取量や、それを可能とする具体的手段のアドバイスなどを表示することができる。また、ウェブページ５５０は、健康指標５５５の各カテゴリーにおけるユーザーの成績を積極的に評価して改善のためのアドバイスを提示する問題解決セクション５５８を含むことができる。例えば、システムによりユーザーの睡眠レベルが「低」で、ユーザーが不眠症であることを示唆する場合、問題解決セクション５５８は睡眠を改善するための方法をアドバイスすることができる。また、問題解決セクション５５８は、成績の改善に関するユーザーの質問を含むことができる。また、ウェブページ５５０は、入力ダイアログボックスを立ち上げる毎日のデータセクション５５９を含むことができる。入力ダイアログボックスにより、ユーザーはヘルスマネージャーにより必要とされる種々のデータの入力を容易に行うことができる。当該技術分野において知られているように、データの入力は予め提示されたリストまたは普通の自由テキスト形式の入力かの選択が可能である。また、ウェブページ５５０は、ユーザーの身長、体重、体の測定値、ＢＭＩ、および心拍数、血圧または任意の生理学的パラメーターのような生命兆候に関する情報を与える体の状態セクション５６１を含むことができる。
【０１９２】
なお、以上のように実施形態について詳細に説明したが、本発明の新規事項および効果から実体的に逸脱しない多くの変形が可能であることは当業者には容易に理解できるであろう。従って、このような変形例はすべて本発明の範囲に含まれるものとする。例えば、明細書又は図面において、少なくとも一度、より広義または同義な異なる用語と共に記載された用語は、明細書又は図面のいかなる箇所においても、その異なる用語に置き換えることができる。また生体情報測定モジュール、光検出ユニット、生体情報測定機器等の構成、動作も本実施形態で説明したものに限定されず、種々の変形実施が可能である。
【符号の説明】
【０１９３】
１…測定機器（生体情報測定機器）、１０…ケース部、１０ａ…上面、１０ｂ…底面、１１…側部、１２…端部、１３…検出窓としての窓部、１４…発光部、１５…土手部、１６…カバー部、１７…曲面部、１８…検出部、２０…バンド、２１…本体部、２１ａ…表面、２１ｂ…開口部、２２…第１バンド部、２３…先端部、２４…第２バンド部、２５…先端部、２６…調整穴部、２７…接続部、２８…第１凸部、２８Ｐ…頂点（頂部）、２９…第２凸部、２９Ｐ…頂点（頂部）、３０…バックル部、３１…第１プレート、３２…第２プレート、３３…ヒンジ部、３４…ガイド部、３５…爪部、３６…爪部、３７…接続部、３８…凸状部、３９…位置決め穴、４０…凸形状、４１…凹形状、７２…内周、ｈ１…検出部（窓部）の突出量（高さ）、ｈ２…第１凸部の突出量（高さ）、ｈ３…第２凸部の突出量（高さ）。
【図１】
2016179124.tif 000003
【図２】
2016179124.tif 000004
【図３】
2016179124.tif 000005
【図４】
2016179124.tif 000006
【図５】
2016179124.tif 000007
【図６】
2016179124.tif 000008
【図７】
2016179124.tif 000009
【図８】
2016179124.tif 000010
【図９】
2016179124.tif 000011
【図１０】
2016179124.tif 000012
【図１１】
2016179124.tif 000013
【図１２】
2016179124.tif 000014
【図１３】
2016179124.tif 000015
【図１４】
2016179124.tif 000016
【図１５】
2016179124.tif 000017
【図１６】
2016179124.tif 000018
【図１７】
2016179124.tif 000019
【図１８】
2016179124.tif 000020
【図１９】
2016179124.tif 000021
【図２０】
2016179124.tif 000022
【図２１】
2016179124.tif 000023
【図２２】
2016179124.tif 000024
【図２３】
2016179124.tif 000025
【図２４】
2016179124.tif 000026
【図２５】
2016179124.tif 000027
【図２６】
2016179124.tif 000028